(57)【要約】      （修正有）【課題】視聴者が複数いる場合、視聴者の属性情報と所定のルールを用いて優先視聴者を決定し、その場の状況に適当な視聴サービスを提供する。【解決手段】視聴者を撮像するカメラ部と、カメラ部の撮像情報から視聴者を認識するための情報である認識情報を取得する認識情報取得部と、取得した認識情報を用いて視聴者の属性情報を取得する視聴者属性取得部と、認識される視聴者が複数である場合に、視聴者属性取得部にて取得した視聴者の属性情報と所定のルールとを用いて優先視聴者を決定する優先視聴者決定部と、を有する。【選択図】図２
2015039094.tif 000002
【特許請求の範囲】
【請求項１】
カメラ部と、
カメラ部の撮像情報から視聴者を認識するための情報である認識情報を取得する認識情報取得部と、
取得した認識情報を用いて視聴者の属性情報を取得する視聴者属性取得部と、
認識される視聴者が複数である場合に、視聴者属性取得部にて取得した視聴者の属性情報と所定のルールとを用いて優先視聴者を決定する優先視聴者決定部と、
を有するコンテンツ提供装置。
【請求項２】
コンテンツ出力を含む視聴サービスを提供する視聴サービス部と、
優先視聴者決定部にて決定された優先視聴者の属性を用いて視聴サービスを制御する視聴サービス制御部と、
をさらに有する請求項１に記載のコンテンツ提供装置。
【請求項３】
優先視聴者決定部は、
所定のルールとして、視聴者の属性情報と視聴時間帯とに応じて視聴者として優先する度合を示す指数を定めた情報である時間帯別優先ルールを保持する時間帯別優先ルール保持手段と、
視聴者属性取得部にて取得した視聴者の属性情報と現在時刻と所定のルールである時間帯別優先ル−ルとに基づいて優先視聴者を決定する時間帯別優先決定手段と、
を有する請求項１又は２に記載のコンテンツ提供装置。
【請求項４】
視聴コンテンツの属性情報を取得するコンテンツ属性取得部をさらに有し、
優先視聴者決定部は、
所定のルールとして、視聴者の属性情報と視聴コンテンツの属性情報とに応じて視聴者として優先する度合を示す指数を定めた情報であるコンテンツ別優先ルールを保持するコンテンツ別優先ルール保持手段と、
視聴者属性取得部にて取得した視聴者の属性情報とコンテンツ属性取得部にて取得した視聴コンテンツの属性情報と所定のルールであるコンテンツ別優先ルールとに基づいて優先視聴者を決定するコンテンツ別優先決定手段と、
を有する請求項１から３のいずれか一に記載のコンテンツ提供装置。
【請求項５】
前記視聴者の属性に応じた視聴履歴である属性別視聴履歴を保持する属性別視聴履歴保持部をさらに有し、
優先視聴者決定部は、
属性別視聴履歴に基づいて、時間帯別優先度ルールを更新する時間帯別優先度ルール更新手段を有する請求項３に記載のコンテンツ提供装置。
【請求項６】
前記視聴者の属性に応じた視聴履歴である属性別視聴履歴を保持する属性別視聴履歴保持部をさらに有し、
優先視聴者決定部は、
属性別視聴履歴に基づいて、コンテンツ別優先ルールを更新するコンテンツ別優先ルール更新手段を有する請求項４に記載のコンテンツ提供装置。
【請求項７】
視聴者属性取得部は、
視聴者の属性情報として、視聴者がリモコン操作者であることを示す情報である操作者情報を取得する操作者情報取得手段を有し、
優先視聴者決定部は、
所定のルールとして、リモコン操作者を優先視聴者とする操作者優先ルールを保持する操作者優先ルール保持手段と、
操作者情報取得手段にて取得した操作者情報と所定のルールである操作者優先ルールとに基づいて優先視聴者を決定する操作者優先決定手段と、
を有する請求項１から６のいずれか一に記載のコンテンツ提供装置。
【請求項８】
視聴サービス部は、
複数のコンテンツをマルチウインドウ表示するマルチ表示手段を有し、
視聴者属性取得部は、
属性情報として、視聴者が前記マルチウインドウ中のいずれのウインドウを視聴しているかを示す情報である視聴ウインドウ情報を取得する視聴ウインドウ情報取得手段を有し、
優先視聴者決定部は、
取得した視聴ウインドウ情報をさらに用いてウインドウごとに優先視聴者を決定するウインドウ別決定手段を有する請求項２又は請求項２に従属する請求項３から７のいずれか一に記載のコンテンツ提供装置。
【請求項９】
視聴者属性取得部は、
視聴者の属性情報として、視聴者の視線がコンテンツ提供装置の画面に向けられている程度を示す情報である視線情報を取得する視線情報取得手段を有し、
優先視聴者決定部は、
所定のルールとして、視線情報にてコンテンツ提供装置の画面に視線が向けられている程度が最大である視聴者を優先すると定めた情報である視線優先ルールを保持する視線優先ルール保持手段と、
視線情報取得手段にて取得した視線情報と所定のルールである視線優先ル−ルとに基づいて優先視聴者を決定する視線依存優先決定手段と、
を有する請求項１から８のいずれ一に記載のコンテンツ提供装置。
【請求項１０】
視聴者属性取得部は、
視聴者の属性情報として、視聴者の移動の少なさの程度を示す情報である移動情報を取得する移動情報取得手段を有し、
優先視聴者決定部は、
所定のルールとして、移動情報にて視聴者の移動の最も少ない視聴者を優先すると定めた情報である移動優先ルールを保持する移動優先ルール保持手段と、
移動情報取得手段にて取得した移動情報と所定のルールである移動優先ル−ルとに基づいて優先視聴者を決定する移動依存優先決定手段と、
を有する請求項１から９のいずれ一に記載のコンテンツ提供装置。
【請求項１１】
視聴者属性取得部は、
視聴者の属性情報として、視聴者をコンテンツ操作者と関連付けて特定するための情報であるコンテンツ操作者情報を取得するコンテンツ操作者情報取得手段を有し、
優先視聴者決定部は、
所定のルールとして、コンテンツ操作者情報取得手段にて取得された情報によって特定される視聴者が再生されているコンテンツの録画者など操作者である場合にはその視聴者を優先視聴者とするコンテンツ操作者優先ルールを保持するコンテンツ操作者優先ルール保持手段と、
コンテンツ操作者情報取得手段にて取得したコンテンツ操作者情報と所定のルールであるコンテンツ操作者優先ルールとに基づいて優先視聴者を決定するコンテンツ操作者優先決定手段と、
を有する請求項１から１０のいずれか一に記載のコンテンツ提供装置。
【請求項１２】
視聴者属性取得部は、
視聴者の属性情報として、視聴者がコンテンツ提供装置所有者であることを示す情報である所有者情報を取得する所有者情報取得手段を有し、
優先視聴者決定部は、
所定のルールとして、コンテンツ提供装置所有者を優先視聴者とする所有者優先ルールを保持する所有者優先ルール保持手段と、
所有者情報取得手段にて取得した所有者情報と所定のルールである所有者優先ルールとに基づいて優先視聴者を決定する所有者優先決定手段と、
を有する請求項１から１１のいずれか一に記載のコンテンツ提供装置。
【請求項１３】
視聴者属性取得部は、
視聴者の属性情報として、視聴者の検出時間の長さの程度を示す情報である検出時間情報を取得する検出時間情報取得手段を有し、
優先視聴者決定部は、
所定のルールとして、検出時間情報にて視聴者の検出時間の最も長い視聴者を優先すると定めた情報である検出時間優先ルールを保持する検出時間優先ルール保持手段と、
検出時間情報取得手段にて取得した検出時間情報と所定のルールである検出時間優先ル−ルとに基づいて優先視聴者を決定する検出時間依存優先決定手段と、
を有する請求項１から１２のいずれ一に記載のコンテンツ提供装置。
【請求項１４】
視聴者属性取得部は、
視聴者の属性に応じた視聴履歴である属性別視聴履歴を取得する属性別視聴履歴取得手段をさらに有し、
コンテンツ属性取得部は、
視聴コンテンツの属性情報としてコンテンツのタイトル情報を取得するタイトル情報取得手段をさらに有し、
優先視聴者決定部は、
所定のルールとして、前記視聴者の属性に応じた視聴履歴とコンテンツのタイトル情報とに応じて視聴者として優先する度合を示す指数を定めた情報である視聴履歴依存コンテンツ別優先ルールを保持する視聴履歴依存コンテンツ別優先ルール保持手段と、
属性別視聴履歴取得手段にて取得した視聴者の属性に応じた視聴履歴とコンテンツ属性取得部にて取得したコンテンツのタイトル情報と所定のルールである視聴履歴依存コンテンツ別優先ルールとに基づいて優先視聴者を決定する視聴履歴依存コンテンツ別優先決定手段と、
を有する請求項４、６又は請求項４に従属する請求項７から１３のいずれか一に記載のコンテンツ提供装置。
【請求項１５】
視聴者属性取得部は、
視聴者の属性情報として、視聴者の年齢層及び／又は性別を示す情報である年齢層・性別情報を取得する年齢層・性別情報取得手段を有し、
優先視聴者決定部は、
所定のルールとして、複数の視聴者の年齢層・性別情報のうち所定の割合を占める年齢層・性別情報に応じて視聴者として優先する度合を示す指数を定めた情報である年齢層・性別割合優先ルールを保持する年齢層・性別割合優先ルール保持手段と、
年齢層・性別情報取得手段にて取得した年齢層・性別情報と所定のルールである年齢層・性別割合優先ル−ルとに基づいて優先視聴者を決定する年齢層・性別割合優先決定手段と、
を有する請求項１から１４のいずれか一に記載のコンテンツ提供装置。
【請求項１６】
優先視聴者決定部が決定した優先視聴者を示す情報である優先視聴者情報を所定の期間保持する優先視聴者情報保持部をさらに有し、
優先視聴者決定部は、
優先視聴者情報保持部が保持する優先視聴者情報が示す視聴者を優先視聴者と決定する優先視聴者情報依存優先視聴者決定手段をさらに有する、
請求項１から１５のいずれか一に記載のコンテンツ提供装置。
【請求項１７】
カメラ部を有するコンテンツ提供装置に、
カメラ部の撮像情報から視聴者を認識するための情報である認識情報を取得する認識情報取得ステップと、
取得した認識情報を用いて視聴者の属性情報を取得する視聴者属性取得ステップと、
認識される視聴者が複数である場合に、視聴者属性取得ステップにて取得した視聴者の属性情報と所定のルールとを用いて優先視聴者を決定する優先視聴者決定ステップと、
を実行させるためのプログラム。
【請求項１８】
優先視聴者決定ステップにて決定された優先視聴者の属性を用いて、コンテンツ出力を含む視聴サービスを制御する視聴サービス制御ステップを前記コンテンツ提供装置にさらに実行させる請求項１７に記載のプログラム。
【請求項１９】
請求項１から１６のいずれか一に記載のコンテンツ提供装置であるテレビ受像機。
【請求項２０】
請求項１７又は１８に記載のプログラムを記憶した記憶媒体。
【発明の詳細な説明】
【技術分野】
【０００１】
本発明は、コンテンツ提供装置、コンテンツ提供装置にて実行されるプログラム、テレビ受像機、プログラムを記憶した記憶媒体に関する。
【背景技術】
【０００２】
従来、テレビ受像機やパーソナルコンピュータなどコンテンツを提供する装置においては、利用者の属性に応じてお薦めコンテンツを自動で選択したり、メニュー項目を自動で設定したりすることが行われている。例えば、特許文献１においては、個人識別情報を外部から受信し、当該個人識別情報に応じてユーザに最適な映像や音声やメニュー表示を行うことを特徴とするテレビ受像機が開示されている。また、特許文献２においては、各ユーザの情報を受け付けてそれぞれの制御情報を作成することによって、ユーザ毎に視聴制限を実行したり、画質・音質の自動設定や、受信番組選択を行ったりすることが可能なテレビ受像機が開示されている。また、特許文献３においては、ユーザ自身の個人的状況に係る個人情報（年齢・性別など、希望する気分）の入力を受け付けることにより、各ユーザの状況に適正な番組案内画面を提示できる受信端末装置が開示されている。
【先行技術文献】
【特許文献】
【０００３】
【特許文献１】特開２００９−２１８９８１
【特許文献２】特開２００１−２０３９５１
【特許文献３】特開平１０−４２２３９
【発明の概要】
【発明が解決しようとする課題】
【０００４】
一方、一般家庭などでは、子供や高齢者など年齢の離れた利用者が同一のコンテンツ提供装置を利用することが考えられるが、利用者ごとに適当な視聴環境が異なる。しかしながら、従来技術では視聴者が複数いる場合、どの視聴者の属性に合わせて視聴環境を設定するべきかを判断することができず、その場の状況において不適当な設定を行ってしまう場合があった。また、従来技術では視聴者が複数いる場合、利用者自身が視聴環境の設定を変更する必要があり、利用者に対して余計な操作負担をかけていた。
【課題を解決するための手段】
【０００５】
そこで、本発明は、視聴者を撮像するカメラ部と、カメラ部の撮像情報から視聴者を認識するための情報である認識情報を取得する認識情報取得部と、取得した認識情報を用いて視聴者の属性情報を取得する視聴者属性取得部と、認識される視聴者が複数である場合に、視聴者属性取得部にて取得した視聴者の属性情報と所定のルールとを用いて優先視聴者を決定する優先視聴者決定部と、を有するコンテンツ提供装置などを提案する。また、コンテンツ出力を含む視聴サービスを提供する視聴サービス部と、優先視聴者決定部にて決定された優先視聴者の属性を用いて視聴サービスを制御する視聴サービス制御部と、をさらに有するコンテンツ提供装置などを提案する。
【発明の効果】
【０００６】
本発明は、視聴者が複数いる場合、視聴者の属性情報と所定のルールを用いて優先視聴者を決定する。これにより、視聴者が複数いる場合であっても、その場の状況に適当な視聴サービスを提供することが可能になる。
【図面の簡単な説明】
【０００７】
【図１】実施形態１のコンテンツ提供装置の概要を示す図
【図２】実施形態１のコンテンツ提供装置の機能ブロックの一例を示す図
【図３】コンテンツ提供装置のハードウェア構成の一例を示す図
【図４】実施形態１のコンテンツ提供装置の処理の流れの一例を示す図
【図５】実施形態１の視聴者認識処理の流れの一例を示す図
【図６】実施形態１の視聴者属性取得処理の流れの一例を示す図
【図７】実施形態１の優先視聴者決定処理の流れの一例を示す図
【図８】実施形態１の視聴サービス制御処理の流れの一例を示す図
【図９】実施形態２のコンテンツ提供装置の機能ブロックの一例を示す図
【図１０】実施形態２の時間帯別優先ルールの一例を示す図
【図１１】実施形態２のコンテンツ提供装置の処理の流れの一例を示す図
【図１２】実施形態２の優先視聴者決定処理の流れの一例を示す図
【図１３】実施形態２の視聴履歴更新処理の流れの一例を示す図
【図１４】実施形態２の時間帯別優先ルール更新処理の流れの一例を示す図
【図１５】実施形態３のコンテンツ提供装置の機能ブロックの一例を示す図
【図１６】実施形態３のコンテンツ別優先ルールの一例を示す図
【図１７】実施形態３のコンテンツ提供装置の処理の流れの一例を示す図
【図１８】実施形態３の優先視聴者決定処理の流れの一例を示す図（１）
【図１９】実施形態３の優先視聴者決定処理の流れの一例を示す図（２）
【図２０】実施形態３の視聴履歴更新処理の流れの一例を示す図
【図２１】実施形態３のコンテンツ別優先ルール更新処理の流れの一例を示す図
【図２２】実施形態４のコンテンツ提供装置の概要を示す図
【図２３】実施形態４のコンテンツ提供装置の機能ブロックの一例を示す図
【図２４】実施形態４のコンテンツ提供装置の処理の流れの一例を示す図
【図２５】実施形態４の視聴者属性取得処理の流れの一例を示す図
【図２６】実施形態５のコンテンツ提供装置の概要を示す図
【図２７】実施形態５のコンテンツ提供装置の機能ブロックの一例を示す図
【図２８】実施形態５のコンテンツ提供装置の処理の流れの一例を示す図
【図２９】実施形態５の視聴者属性取得処理の流れの一例を示す図
【図３０】実施形態５の優先視聴者決定処理の流れの一例を示す図
【図３１】実施形態５の視聴サービス制御処理の流れの一例を示す図
【図３２】実施形態６のコンテンツ提供装置の機能ブロックの一例を示す図
【図３３】実施形態６のコンテンツ提供装置の処理の流れの一例を示す図
【図３４】実施形態６の視聴者属性取得処理の流れの一例を示す図
【図３５】実施形態７のコンテンツ提供装置の機能ブロックの一例を示す図
【図３６】実施形態７のコンテンツ提供装置の処理の流れの一例を示す図
【図３７】実施形態７の視聴者属性取得処理の流れの一例を示す図
【図３８】実施形態８のコンテンツ提供装置の機能ブロックの一例を示す図
【図３９】実施形態８のコンテンツ提供装置の処理の流れの一例を示す図
【図４０】実施形態９のコンテンツ提供装置の機能ブロックの一例を示す図
【図４１】実施形態９の視聴サービス制御処理の流れの一例を示す図
【図４２】実施形態１０のコンテンツ提供装置の機能ブロックの一例を示す図
【図４３】実施形態１０のコンテンツ提供装置の処理の流れの一例を示す図
【図４４】実施形態１０の視聴者属性取得処理の流れの一例を示す図
【図４５】実施形態１１のコンテンツ提供装置の機能ブロックの一例を示す図
【図４６】実施形態１１のコンテンツ提供装置の処理の流れの一例を示す図
【図４７】実施形態１２のコンテンツ提供装置の機能ブロックの一例を示す図
【図４８】実施形態１２のコンテンツ提供装置の処理の流れの一例を示す図
【図４９】実施形態１２の優先視聴者決定処理の流れの一例を示す図
【図５０】実施形態１３のコンテンツ提供装置の機能ブロックの一例を示す図
【発明を実施するための形態】
【０００８】
以下に、本発明にかかるコンテンツ提供装置の実施形態を説明する。実施形態と請求項の相互の関係は、以下のとおりである。実施形態１では主に請求項１、２、１７、１８、１９、２０について説明し、実施形態２では主に請求項３、５、１９、２０について説明し、実施形態３では主に請求項４、６、１１、１２について説明し、実施形態４では主に請求項７、１９、２０について説明し、実施形態５では主に請求項８、１９、２０について説明し、実施形態６では主に請求項９、１９、２０について説明し、実施形態７では主に請求項１０、１９、２０について説明し、実施形態８では主に請求項１１、１９、２０について説明し、実施形態９では主に請求項１２、１９、２０について説明し、実施形態１０では主に請求項１３、１９、２０について説明し、実施形態１１では主に請求項１４、１９、２０について説明し、実施形態１２では主に請求項１５、１９、２０について説明し、実施形態１３では主に請求項１６、１９、２０について説明する。なお、本発明はこれらの実施形態に何ら限定されるものではなく、その要旨を逸脱しない範囲内において、種々なる態様で実施しうる。
【０００９】
<<実施形態１>>
【００１０】
<概要>
本実施形態のコンテンツ提供装置は、カメラ部の撮像情報から視聴者を認識するための情報である認識情報を取得し、当該認識情報を用いて視聴者の属性情報を取得する。そして、視聴者が複数である場合において、視聴者の属性情報と所定のルールとを用いて優先視聴者を決定することを特徴とする。これにより、例えば、優先視聴者の属性を用いて視聴サービスを制御することが可能になる。図１は、本実施形態のコンテンツ提供装置の概要を示す図である。この図の例では、視聴者として子供と大人がいるが、子供を大人よりも優先するというルールに基づいて、子供を優先視聴者として選定する。そして、お薦め番組表示において、子供向けのお薦め番組を表示したり、メニュー画面などにおいて文字をひらがな／カタカナ表記にしたり、子供にとって不要な項目を削除したりする。
【００１１】
<構成>
図２は、本実施形態のコンテンツ提供装置の機能ブロックの一例を示す図である。この図にあるように、「コンテンツ提供装置」０２００は、「カメラ部」０２０１と、「認識情報取得部」０２０２と、「視聴者属性取得部」０２０３と、「優先視聴者決定部」０２０４と、「視聴サービス制御部」０２０５と、「視聴サービス部」０２０６と、を有する。ここで、視聴サービス制御部と視聴サービス部をコンテンツ提供装置の機能の一部としているが、必ずしも必須の構成ではなく、他の装置にこれらの機能を担わせてもよい（以下の実施形態でも同様である）。
【００１２】
「コンテンツ提供装置」としては、テレビ受像機や汎用コンピュータ、スクリーンディスプレイ装置、などのディスプレイ装置が主として考えられるが、これらのディスプレイ装置に優先視聴者の属性情報を通知するための専用装置も含まれる。つまり、これらのディスプレイ装置に対して優先視聴者の属性情報を通知し、コンテンツ出力を含む視聴サービスの制御を行わせるような装置も含まれるものである。
【００１３】
「カメラ部」は、視聴者領域を撮像する。つまり、視聴者領域からの視聴者や他の物体の光を捉えて、その光信号を画像として記録する。ここで、視聴者などからの光としては、可視光の他に、赤外線や遠赤外線などの光も含まれ、カメラ部は対応する撮像手段を備える。カメラ部は、例えば、集光レンズ、受光素子、信号増幅回路、Ａ／Ｄ変換回路、記録素子、処理演算回路、などからなる。なお、カメラ部は単数である必要はなく、複数存在してもよい。
【００１４】
「認識情報取得部」は、カメラ部の撮像情報から視聴者を認識するための情報である認識情報を取得する。ここで、視聴者を認識するとは、視聴者が誰であるか（どの視聴者ＩＤを有するか）を認識するのみならず、視聴者が男性であるか女性であるかを認識することや、視聴者が大人であるか子供であるかを認識すること、視聴者であるか通りすがりの人であるか認識すること、なども含まれる。視聴者を認識するための情報としては、上記のような認識を行うための情報であり、例えば、撮像画像に含まれる人の体や顔の情報、目印（メガネ、ピアス、指輪など）の情報などが挙げられる。具体的には、人の体や顔であると認識される画像領域の座標情報を抽出したり、体の大きさや体型、肌の色、顔の目、鼻、口、耳、眉毛、瞳孔などのサイズ、髪の長さ、顔の各パーツの比率などの情報を抽出したりする。
【００１５】
「視聴者属性取得部」は、取得した認識情報を用いて視聴者の属性情報を取得する。ここで、認識情報から取得される視聴者の属性情報としては、視聴者のＩＤ、名前、性別、年齢・年代・年齢層、顔画像、全身画像、国籍、住所、所属、職業、経歴、好きな映像・音楽・文学のジャンル、視聴時間帯、起床時刻、通学・出勤時刻、帰宅時刻、就寝時刻、視力、聴力、使用言語・理解可能言語、語学力、好きなスポーツ・チーム・食べ物・有名人・動物などの情報の一以上が挙げられる。
【００１６】
認識情報を用いて視聴者の属性情報を取得する処理としては、認識情報として取得した視聴者の顔画像とデータベースに登録された複数人の顔画像と照合したり、男性、女性、大人、子供のテンプレート画像と照合したりして、視聴者が誰であるか（どの視聴者ＩＤを有するものであるか）、男性であるか女性であるか、大人であるか子供であるかなどを判断し、その判断結果である情報を属性情報として取得する処理が考えられる。また、視聴者の口の動きから、視聴者がどの言語を話しているかを判断し、どの言語圏の人であるかを示す情報を取得してもよい。具体的には、視聴者の顔画像と他の属性情報を関連付けたテーブル情報を記憶手段にて保持しておき、撮像情報と顔画像の照合結果に基づいて視聴者の他の属性情報を抽出することも可能である。例えば、利用者の顔画像と、利用者のＩＤ、年齢層、性別、利用者の好きな映像コンテンツのジャンルを関連付けて保持することが考えられる。なお、これらのテーブル情報は、利用者によって操作入力手段を介して適宜入力・更新可能な状態としておくことが可能である。
【００１７】
「優先視聴者決定部」は、認識される視聴者が複数である場合に、視聴者属性取得部にて取得した視聴者の属性情報と所定のルールとを用いて優先視聴者を決定する。ここで、優先視聴者とは、提供する視聴サービスの提供方法や提供内容を決定する際に、判断の基準として優先すべき視聴者のことをいう。なお、優先視聴者は一人である必要はなく、複数の優先視聴者が存在してもよい。例えば、一の映像コンテンツを出力する際に、視力の低い視聴者と、聴力の低い視聴者をそれぞれ優先視聴者として決定することも可能である。
【００１８】
所定のルールとしては、視聴者の属性情報と視聴時間帯とに応じて視聴者として優先する度合を示す指数を定めた情報である時間帯別優先ルール（実施形態２にて詳述する）や、視聴者の属性情報と視聴コンテンツの属性情報とに応じて視聴者として優先する度合を示す指数を定めた情報であるコンテンツ別優先ルール（実施形態３にて詳述する）、リモコン操作者を優先視聴者とする操作者優先ルール（実施形態４にて詳述する）が例として挙げられる。
【００１９】
また、所定のルールの他の例として、視聴者の属性情報と視聴サービスに応じて視聴者として優先する度合を示す指数を定めた情報である視聴サービス別優先ルールも挙げられる。この場合、優先視聴者決定部は、視聴者属性取得部にて取得した視聴者の属性情報とサービス別優先ルールとに基づいて優先視聴者を決定する。また、視聴者の属性情報と曜日とに応じて視聴者として優先する度合を示す指数を定めた情報である曜日別優先ルールなども可能である。
【００２０】
「視聴サービス部」は、コンテンツ出力を含む視聴サービスを提供する。ここで、コンテンツ出力とは、ディスプレイを介してコンテンツ映像を表示出力することや、スピーカーを介してコンテンツの音声を出力すること、が挙げられる。コンテンツとしては、地上デジタル／アナログ放送受信機や衛星放送受信機を介して受信するコンテンツや、ネットワークＩ／Ｆを介してコンテンツサーバから受信するコンテンツ、外部記憶装置又は内部記憶装置から取得するコンテンツ、など種々可能である。また、コンテンツ内容としては、映像と音声からなるコンテンツが主として考えられるが、映像、音声、文字などのいずれか一以上からなる内容であれば足りる。
【００２１】
視聴サービスとしては、コンテンツを表示出力又は音声出力するサービス、コンテンツの属性情報（タイトル、出演者、時間枠、概要など）を表示するサービス、メニュー項目を表示するサービス、お薦めコンテンツの情報を表示するサービス、電子番組表（ＥＰＧ）を表示するサービス、外部記録装置又は内部記録装置に記録されているコンテンツの情報を表示するサービス、コンテンツサーバからダウンロード可能なコンテンツの情報を表示するサービス、所定時間内にコンテンツが開始することを通知するサービス、コンテンツに視聴・録画制限がかけられていることを通知するサービス、などが挙げられる。
【００２２】
「視聴サービス制御部」は、決定された優先視聴者の属性を用いて視聴サービスを制御する。ここで、優先視聴者の属性を用いた視聴サービスの制御としては、表示されるお薦めコンテンツを優先視聴者の年齢層や性別などに基づいて変更したり、コンテンツやメニュー画面、電子番組表などに含まれる文字の大きさを優先視聴者の視力などに基づいて調整したり、出力されるコンテンツやメニュー画面などに含まれる文字のフォントの種類や文字表記（ひらがな表記、カタカナ表記、漢字表記など）を優先視聴者の年齢層などに基づいて変更したり、出力されるコンテンツなどの音量を優先視聴者の聴力などに基づいて制御したり、出力されるコンテンツの字幕言語や音声言語を優先視聴者の使用言語に基づいて変更したり、コンテンツのメニュー画面に含まれる項目内容を優先視聴者の性別・年齢層などに基づいて変更したり、視聴・録画制限のかかっているコンテンツに関して優先視聴者の年齢や権限などに基づいて出力を制限したり、電子番組表からそのコンテンツ項目を削除したり、出力されるコンテンツを優先視聴者のお好みジャンルなどに基づいて決定したり、出力されるコンテンツの画質や輝度、音質などを優先視聴者のお好み設定などに基づいて決定したりすることなどが挙げられる。
【００２３】
具体的には、年齢層が高齢者の場合に、コンテンツやメニュー画面などに含まれる文字の大きさは所定以上にしたり、年齢層が子供の場合に、文字表記を全てひらがな表記かカタカナ表記にしたり、年齢層が視聴年齢制限未満である場合に、コンテンツの表示出力を制限したり、電子番組表の該当コンテンツ項目を表示出力しないようにしたりする。
【００２４】
優先視聴者の属性を用いた視聴サービスの制御手段の一例としては、優先視聴者の属性と、視聴サービスの制御内容を関連付けたテーブル情報を記憶手段にて保持しておき、優先視聴者の属性情報と、当該テーブル情報を用いて視聴サービスの制御内容を決定することにより行うことが可能である。当該テーブル情報は、視聴者によって適宜更新可能な状態にしておくことが可能である。また、優先視聴者の属性値（視力、聴力など）をパラメータに持つ制御プログラムを記憶手段にて保持しておくことも考えられる。
【００２５】
<具体的な構成>
図３は、本実施形態のコンテンツ提供装置の具体的なハードウェア構成の一例を示す図である。この図にあるように、コンテンツ提供装置は、「ＣＰＵ」１と、「ＲＡＭ」２と、「不揮発性メモリ」３と、「カメラ部」４と、「カメラ信号処理部」５と、「チューナ／復調／分離部」６と、「映像信号処理部」７と、「ＥＰＧ／ＯＳＤ／ＢＭＬ処理部」８と、「音声信号処理部」９と、「映像出力変換部」１０と、「音声出力変換部」１１と、「通信部」１２と、「リモコン受光部」１３と、「アンテナ」１４などから構成される。
【００２６】
本実施形態に係る「コンテンツ提供装置」は、「受信アンテナ」を介してデジタル放送を受信する。 また、「チューナ／復調／分離部」では、デジタル放送の受信信号をチューニングし、チューニングされたデジタル信号を復調し、分離する。また、「映像信号処理部」では、分離された映像信号をデコードしたり、静止画処理したりする。また、「ＥＰＧ／ＯＳＤ／ＢＭＬ処理部」では、分離された電子番組表（ＥＰＧ）の処理やメニューなどのＯＳＤ処理、データ放送の表示処理を行う。また、「映像出力変換部」では、映像信号処理部およびＥＰＧ／ＯＳＤ／ＢＭＬ処理部からの情報をミックスして映像出力する信号へと変換する。また、「音声信号処理部」では、分離された音声信号をデコードしたり、内蔵音などの音声出力処理を行ったりする。また、「音声出力変換部」では、音声出力する信号へと変換する。 また、「カメラ部」では、映像信号を入力する。また、「カメラ信号処理部」では、「カメラ部」によって入力した映像信号を処理する。「リモコン受光部」は、ユーザによるリモコン操作におけるリモコン信号を受信する。
【００２７】
「ＣＰＵ」は、全体の処理や、カメラ信号処理部で取得したデータから顔の検出処理をしたり、登録済みユーザかどうかの判定処理をしたり、優先指数の比較処理をしたり、リモコン操作者の判定処理をしたり、デジタル放送の放送波によって取得された時間情報から時間帯比較処理を行ったりする。また、「ＲＡＭ」は、任意のアドレスを指定して読み書きすることが可能な半導体メモリであり、プログラムの実行領域としてプログラムデータや実行データを格納し、分離部で抽出されたコンテンツデータや電子番組表データや検出済みユーザかどうかの情報や、それぞれのユーザの優先指数の算出結果を保存する。また、不揮発性メモリは、登録した視聴者の属性情報（視聴者ＩＤ、性別、年齢層、好きなジャンルなど）や番組情報や取得した電子番組表情報、テレビ受像機の設定情報などを保存する。また、通信部は、ＬＡＮなどのネットワークとの通信の制御を行い、他のテレビ受像機などとのデータのやりとりを行う。
【００２８】
<処理の流れ>
図４は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である。まず、ステップＳ０４０１において、コンテンツ提供装置は、視聴者のいる領域を撮像する（撮像ステップ）。次に、ステップＳ０４０２において、コンテンツ提供装置は、撮像情報から視聴者を認識するための情報である認識情報を取得する（認識情報取得ステップ）。次に、ステップＳ０４０３において、コンテンツ提供装置は、取得した認識情報を用いて視聴者の属性情報を取得する（視聴者属性取得ステップ）。次に、ステップＳ０４０４において、コンテンツ提供装置は、認識される視聴者が複数であるか否か判断する。ここで、認識される視聴者が単数である場合に、ステップＳ０４０５Ａに進む。ここで、認識される視聴者が複数であるとの判断である場合に、ステップＳ０４０５Ｂに進む。ステップＳ０４０５Ａでは、コンテンツ提供装置は、優先視聴者の属性情報を用いて視聴サービスを制御する。ステップＳ０４０５Ｂでは、コンテンツ提供装置は、視聴者属性取得ステップにて取得した視聴者の属性情報と所定のルールとを用いて優先視聴者を決定する（優先視聴者決定ステップ）。ステップＳ０４０６Ｂでは、コンテンツ提供装置は、決定された優先視聴者の属性を用いて視聴サービスを制御する（視聴サービス制御ステップ）。なお、上記処理は所定のタイミング（例えば、一定の時間間隔や特定の操作が行われたタイミング）で行うことが可能であり、新たな視聴者が加わった場合やこれまでいた視聴者がいなくなった場合であっても、その状況においてもっとも適当な優先視聴者を決定することができる。また、ステップＳ０４０３の後に視聴者のメンバー構成に変化があったか否か（視聴者が新たに加わったり、いなくなったりしたか否か）判断し、メンバー構成に変化があった場合にはステップＳ０４０４の処理を行い、メンバー構成に変化がない場合にはステップＳ０４０１に戻る処理を行ってもよい。
【００２９】
<視聴者認識処理の具体例>
図５は、本実施形態のコンテンツ提供装置における視聴者認識処理の流れの一例を示す図である。まず、ステップＳ０５０１において、コンテンツ提供装置は、コンテンツ提供装置の視聴者側をカメラ装置で撮像し、撮像データを取得する。次に、ステップＳ０５０２において、コンテンツ提供装置は、カメラ装置から出力される撮像データから、視聴者の顔であると認識される画像領域を抽出し、その領域の座標データをＲＡＭにて保持する。ステップＳ０５０３では、コンテンツ提供装置は、視聴者数をインクリメントする。次に、ステップＳ０５０４において、コンテンツ提供装置は、撮像データの全ての領域についてステップＳ０５０２、Ｓ０５０３の処理を行ったか判断する。ここで、全ての領域について処理を行ったとの判断である場合は、視聴者認識処理を終了する。処理を行っていない領域が残っているとの判断である場合は、ステップＳ０５０２に戻る。
【００３０】
<視聴者属性取得処理の具体例>
図６は、本実施形態のコンテンツ提供装置における視聴者属性取得処理の流れの一例を示す図である。まず、ステップＳ０６０１において、ＲＡＭに読み出された登録済視聴者の顔画像と、視聴者認識処理にて認識された視聴者の顔画像領域とのパターンマッチングを行う。次に、ステップＳ０６０２において、パターンマッチングの結果から登録済の視聴者であるか否か判断する。ここで、登録済の視聴者ではないと判断した場合は、ステップＳ０６０３Ａに進む。登録済の視聴者であると判断した場合は、ステップＳ０６０３Ｂに進む。ステップＳ０６０３Ａでは、視聴者登録画面を表示し、視聴者の属性情報に関する操作入力を受け付けて、その視聴者の顔画像とともにＲＡＭ及び不揮発性メモリに格納する。なお、視聴者登録を行わないとの操作入力を受け付けることも可能である。ステップＳ０６０３Ｂでは、該当する登録済視聴者の属性情報（視聴者のＩＤ、名前、年齢、性別、好きなジャンルなど）を不揮発性メモリからＲＡＭに読み出す。次に、ステップＳ０６０４では、視聴者認識処理にて認識された視聴者全て（視聴者登録を行わなかった視聴者は除く）について、ステップＳ０６０１〜ステップＳ０６０３の処理を行ったか否か判断する。ここで、全ての視聴者について処理を行ったとの判断である場合、視聴者属性取得処理を終了する。処理を行っていない視聴者が残っているとの判断である場合は、ステップ０６０１に戻る。上記では、登録されていない視聴者を検知した場合、視聴者登録を行う設定としているが、この例に限定されるものではなく、例えば視聴者登録は予め行っておき、登録されていない視聴者を検知した場合はその視聴者については考慮しないとの処理を行ってもよい。
【００３１】
<優先視聴者決定処理の具体例>
図７は、本実施形態のコンテンツ提供装置における優先視聴者決定処理の流れの一例を示す図である。ステップＳ０７０１では、コンテンツ提供装置は、視聴者数が複数であるか否か判断する。ここで、複数であるとの判断である場合はステップＳ０７０２に進む。視聴者が複数ではないとの判断である場合は優先視聴者決定処理を終了する。ステップＳ０７０２では、コンテンツ提供装置は、視聴者属性取得処理にて取得された視聴者ＩＤと、視聴者ＩＤに応じて視聴者として優先する度合を示す指数を定めた情報であるＩＤ優先ルールとを用いて、視聴者の視聴優先指数を取得する。次に、ステップＳ０７０３では、コンテンツ提供装置は、視聴者属性取得処理にて視聴者ＩＤを取得した視聴者全てについて優先指数を取得したか否か判断する。ここで、視聴者全てについて優先指数を取得したとの判断である場合、ステップＳ０７０４に進む。優先指数を取得していない視聴者が残っているとの判断である場合は、ステップ０７０２に戻る。ステップＳ０７０４では、コンテンツ提供装置は、優先指数が取得された複数の視聴者の優先指数を比較する。ステップＳ０７０５では、コンテンツ提供装置は、優先視聴者を確定し、その視聴者の属性情報をＲＡＭにて保持する。
【００３２】
<視聴サービス制御処理の具体例>
図８は、本実施形態のコンテンツ提供装置における視聴サービス制御処理の流れの一例を示す図である。まず、ステップＳ０８０１において、優先視聴者決定処理により決定された優先視聴者の属性（好きなジャンル、年齢層、視力、聴力など）を取得する。ステップＳ０８０２において、不揮発性メモリから優先視聴者の属性と視聴サービスの内容を関連づけた情報をＲＡＭに読み出し、取得された優先視聴者の属性に応じて視聴サービスの内容（お薦めコンテンツの内容、表記の種別、出力するコンテンツの文字の大きさ・音量の大きさなど）を決定する。次に、ステップＳ０８０３において、決定された視聴サービスの内容となるように、視聴サービスに関係する機器（ディスプレイ、スピーカーなど）を制御する。次に、ステップＳ０８０４において、制御すべき視聴サービスの全てについて、優先視聴者の属性に応じてその制御が行われたか否か判断する。全て行われたとの判断である場合は、視聴サービス制御処理を終了する。制御が行われていない視聴サービスが残っているとの判断である場合は、ステップＳ０８０２に戻る。
【００３３】
<効果>
本実施形態のコンテンツ提供装置は、視聴者が複数いる場合、視聴者の属性情報と所定のルールを用いて優先視聴者を決定するため、その場の状況に好ましい視聴環境を提供することが可能になる。
【００３４】
<<実施形態２>>
【００３５】
<概要>
本実施形態のコンテンツ提供装置は、基本的に実施形態１のコンテンツ提供装置と同様であるが、視聴者の属性情報と現在時刻と、視聴者の属性情報と視聴時間帯とに応じて視聴者として優先する度合を示す指数を定めた情報である時間帯別優先ルールとに基づいて優先視聴者を決定することを特徴とする。
【００３６】
<構成>
図９は、本実施形態のコンテンツ提供装置の機能ブロックの一例を示す図である。この図にあるように、「コンテンツ提供装置」０９００は、「カメラ部」０９０１と、「認識情報取得部」０９０２と、「視聴者属性取得部」０９０３と、「優先視聴者決定部」０９０４と、「視聴サービス制御部」０９０５と、「視聴サービス部」０９０６と、を有し、「優先視聴者決定部」は、「時間帯別優先ルール保持手段」０９０７と、「時間帯別優先決定手段」０９０８を有する。以下、実施形態１との相違点である「時間帯別優先ルール保持手段」と「時間帯別優先決定手段」について説明する。
【００３７】
「時間帯別優先ルール保持手段」は、所定のルールとして、視聴者の属性情報と視聴時間帯とに応じて視聴者として優先する度合を示す指数を定めた情報である時間帯別優先ルールを保持する。ここで、視聴時間帯の区分けの仕方は任意であるが、０時から３時間ごとに区分けしたり、６時間ごとに区分けしたりすることが考えられる。また、視聴時間帯に対して曜日の情報を付け加えることも可能である。また、視聴者として優先する度合を示す指数とは、当該指数が大きい者又は小さい者を優先して視聴サービスを提供することをいう。
【００３８】
図１０は、時間帯別優先ルールの一例を示す図である。この図の例では、年齢層や性別によって、視聴者をＣ１（０〜１２歳の子供）、Ｃ２（１３〜１９歳の子供）、Ｆ１（２０〜３４歳の女性）、Ｆ２（３５〜４９歳の女性）、Ｆ３（５０歳以上の女性）、Ｍ１（２０〜３４歳の男性）、Ｍ２（３５〜４９歳の男性）、Ｍ３（５０歳以上の男性）のグループに区分けしている。また、時間帯を６〜１２時、１２〜１８時、１８〜２４時、２４〜翌日の６時に区分けしている。そして、時間帯と視聴者の区分に応じて、視聴者として優先する度合を示す指数を定めた優先指数が割り当てられている。優先指数は視聴者の区分の数だけ種類が存在し、優先指数の高いものから順にＡ、Ｂ、・・・、Ｈとなっている。
【００３９】
「時間帯別優先決定手段」は、視聴者属性取得部にて取得した視聴者の属性情報と現在時刻と所定のルールである時間帯別優先ル−ルとに基づいて優先視聴者を決定する。図１０の例で説明すると、視聴者の区分がＣ２、Ｆ２、Ｍ２であり、現在時刻が１８〜２４時の時間帯である場合は、Ｃ２の優先指数が最も高くなっているため、Ｃ２の視聴者が優先視聴者となる。また、視聴者の区分がＣ２、Ｆ２、Ｍ２であり、現在時刻が１２〜１８時の時間帯である場合は、Ｆ２の優先指数が最も高くなっているため、Ｆ２の視聴者が優先視聴者となる。
【００４０】
本実施形態のコンテンツ提供装置は、さらに、以下で述べる「属性別視聴履歴保持部」と、「時間帯別優先度ルール更新手段」を備えていてもよい。当該構成を備えていることにより、視聴者の視聴履歴に応じて時間帯別優先度ルールを更新することが可能になり、より適切な優先視聴者の選定を行うことが可能になる。
【００４１】
「属性別視聴履歴保持部」は、前記視聴者の属性に応じた視聴履歴である属性別視聴履歴を保持する。ここで、視聴者の属性に応じた視聴履歴としては、視聴者ＩＤごとの視聴履歴とすることも可能であるし、視聴者の性別・年齢層ごとの視聴履歴とすることも可能である。視聴履歴の内容としては、視聴日時・曜日・時間帯の情報や、視聴コンテンツのジャンルの情報、視聴時間の情報、視聴回数の情報、一緒に視聴した人の視聴者ＩＤなどが挙げられる。また、属性別視聴履歴の更新は、視聴者属性取得部にて取得される視聴者の属性に変化があった場合や視聴時間帯が切り替わった場合、視聴コンテンツの属性に変化があった場合に行うことが考えられる。例えば、新たな視聴者が加わって視聴者ＩＤが追加された場合や特定の視聴者がいなくなった場合は、各視聴者の視聴履歴を更新するための処理を行う。また、９時００分〜９時３０分の視聴時間帯から９時３０分〜１０時００分の視聴時間帯に切り替わった場合、各視聴時間帯に関する視聴履歴を更新するための処理を行う。また、スポーツ番組からお笑い番組にコンテンツが変化した場合、各ジャンル属性に関する視聴履歴を更新するための処理を行う。なお、視聴コンテンツが録画コンテンツの場合には、実際の視聴時間帯ではなく、録画した時間帯で視聴履歴を更新するようにしてもよい。このようにすれば、例えばある日の９〜１０時に放映された子供向け帯番組を録画し、これを１７〜１８時に子供が視聴した場合、子供の視聴履歴の更新は９〜１０時に視聴したものとしてなされるため、次回同じ番組を９〜１０時に子供が視聴する際には、前回子供が９〜１０時に視聴したという視聴履歴を反映した優先視聴者の決定処理がなされることになる。従って、より視聴者の属性にふさわしい処理を行うことが可能となる。
【００４２】
「時間帯別優先度ルール更新手段」は、属性別視聴履歴に基づいて、時間帯別優先度ルールを更新する。ここで、更新処理は、属性別視聴履歴が更新されたことを検知して行うことも可能であるし、所定時間間隔又は所定日時の到来をもって行ってもよい。時間帯別優先度ルールの更新処理としては、視聴履歴が更新された視聴時間帯に関して、過去所定期間の各視聴者属性の視聴履歴を比較し、視聴時間の多い視聴者属性から順番に高い優先指数を割り当てて、時間帯別優先ルールを更新することが考えられる。
【００４３】
<処理の流れ>
図１１は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である。まず、ステップＳ１１０１において、コンテンツ提供装置は、視聴者のいる領域を撮像する（撮像ステップ）。次に、ステップＳ１１０２において、コンテンツ提供装置は、撮像情報から視聴者を認識するための情報である認識情報を取得する（認識情報取得ステップ）。次に、ステップＳ１１０３において、コンテンツ提供装置は、取得した認識情報を用いて視聴者の属性情報を取得する（視聴者属性取得ステップ）。次に、ステップＳ１１０４において、コンテンツ提供装置は、認識される視聴者が複数であるか否か判断する。ここで、認識される視聴者が単数である場合に、ステップＳ１１０５Ａに進む。ここで、認識される視聴者が複数であるとの判断である場合に、ステップＳ１１０５Ｂに進む。ステップＳ１１０５Ａでは、コンテンツ提供装置は、優先視聴者の属性情報を用いて視聴サービスを制御する。ステップＳ１１０５Ｂでは、コンテンツ提供装置は、視聴者属性取得ステップにて取得した視聴者の属性情報と、現在時刻と、視聴者の属性情報と視聴時間帯とに応じて視聴者として優先する度合を示す指数を定めた情報である時間帯別優先ルールとを用いて優先視聴者を決定する（優先視聴者決定ステップ：時間帯別優先決定処理）。ステップＳ１１０６Ｂでは、コンテンツ提供装置は、決定された優先視聴者の属性を用いて視聴サービスを制御する（視聴サービス制御ステップ）。なお、上記処理は所定のタイミング（例えば、一定の時間間隔や特定の操作が行われたタイミング）で行うことが可能であり、新たな視聴者が加わった場合やこれまでいた視聴者がいなくなった場合であっても、その状況においてもっとも適当な優先視聴者を決定することができる。また、ステップＳ１１０３の後に視聴者のメンバー構成に変化があったか否か（視聴者が新たに加わったり、いなくなったりしたか否か）判断し、メンバー構成に変化があった場合にはステップＳ１１０４の処理を行い、メンバー構成に変化がない場合にはステップＳ１１０１に戻る処理を行ってもよい。
【００４４】
<優先視聴者決定処理の具体例>
図１２は、本実施形態のコンテンツ提供装置における優先視聴者決定処理の流れの一例を示す図である。ステップＳ１２０１では、コンテンツ提供装置は、視聴者数が複数であるか否か判断する。ここで、複数であるとの判断である場合はステップＳ１２０２に進む。複数ではないとの判断である場合は優先視聴者決定処理を終了する。ステップＳ１２０２では、コンテンツ提供装置は、視聴者属性取得処理にて取得された視聴者の性別・年齢層（又は視聴者ＩＤ、以下同様）と、現在時刻と、視聴者の性別・年齢層と視聴時間帯とに応じて視聴者として優先する度合を示す指数を定めた情報である時間帯別優先ルールとを用いて、視聴者の視聴優先指数を取得する。次に、ステップＳ１２０３では、コンテンツ提供装置は、視聴者属性取得処理にて性別・年齢層を取得した視聴者全てについて優先指数を取得したか否か判断する。ここで、視聴者全てについて優先指数を取得したとの判断である場合、ステップＳ１２０４に進む。優先指数を取得していない視聴者が残っているとの判断である場合は、ステップ１２０２に戻る。ステップＳ１２０４では、コンテンツ提供装置は、優先指数が取得された複数の視聴者の優先指数を比較する。ステップＳ１２０５では、コンテンツ提供装置は、優先視聴者を確定し、その視聴者の属性情報をＲＡＭにて保持する。
【００４５】
<視聴履歴更新処理の具体例>
図１３は、本実施形態のコンテンツ提供装置における視聴履歴更新処理の流れの一例を示す図である。ステップＳ１３０１では、コンテンツ提供装置は、視聴者属性取得処理にて取得される視聴者ＩＤに変化があったか否か判断する。ここで視聴者ＩＤに変化があったとの判断である場合は、ステップＳ１３０２に進む。変化がないとの判断である場合は、ステップＳ１３０３に進む。ステップＳ１３０２では、コンテンツ提供装置は、変化のあった視聴者ＩＤの視聴時間のカウントの開始又は停止を行う。つまり、新たな視聴者が加わった場合は、その視聴者ＩＤの視聴時間のカウントを開始し、特定の視聴者がいなくなった場合は、その視聴者ＩＤの視聴時間のカウントを停止する。次に、ステップＳ１３０３において、コンテンツ提供装置は、視聴時間帯が切り替わったか否か判断する。ここで、視聴時間帯が切り替わったとの判断である場合は、ステップＳ１３０４に進む。視聴時間帯は切り替わっていないとの判断である場合は、ステップＳ１３０５に進む。ステップＳ１３０４では、コンテンツ提供装置は、新たに始まった視聴時間帯及び終了した視聴時間帯に関して、各視聴者ＩＤの視聴時間のカウントの開始又は停止を行う。つまり、新たに始まった視聴時間帯に関しては、その視聴時間帯における視聴者ＩＤの視聴時間のカウントを開始し、終了した視聴時間帯に関しては、その視聴時間帯における視聴者ＩＤの視聴時間のカウントを停止する。ステップＳ１３０５では、各視聴者の視聴履歴における視聴時間帯ごとの視聴時間の情報を更新する。
【００４６】
<時間帯別優先ルール更新処理の具体例>
図１４は、本実施形態のコンテンツ提供装置における時間帯別優先ルール更新処理の流れの一例を示す図である。ステップＳ１４０１では、コンテンツ提供装置は、視聴履歴が更新されたか否か判断する。ここで、視聴履歴が更新されたとの判断である場合は、ステップＳ１４０２に進む。視聴履歴が更新されていないとの判断である場合は時間帯別優先ルール更新処理を終了する。ステップＳ１４０２では、コンテンツ提供装置は、視聴履歴において視聴時間の情報が更新された視聴時間帯に関して、過去所定期間（例えば、過去１週間）の各性別・年齢層（又は各登録視聴者など、以下同様）の平均視聴時間（又は平均視聴回数など、以下同様）を算出する。次に、ステップＳ１４０３では、コンテンツ提供装置は、算出された各性別・年齢層の平均視聴時間（又は平均視聴回数など）を比較して、平均視聴時間の多い性別・年齢層から順番に高い優先指数を割り当てる。次に、ステップＳ１４０４では、コンテンツ提供装置は、ステップＳ１４０３での割り当て結果に基づいて、不揮発性メモリに格納されている時間帯別優先ルールを更新する。ここでは、視聴履歴が更新されたことをもって時間帯別優先ルールの更新処理を行っているが、この例に限定されるものではなく、例えば所定時間おき（例えば、１日おき）に時間帯別優先ルールの更新処理を行ってもよい。
【００４７】
<効果>
本実施形態のコンテンツ提供装置は、視聴者が複数いる場合、視聴者の属性情報と視聴時間帯とに応じて視聴者として優先する度合を示す指数を定めた情報を用いて優先視聴者を決定する。これにより、時間帯に応じて適当な優先視聴者を決定し、好ましい態様で視聴サービスを提供することが可能になる。
【００４８】
<<実施形態３>>
【００４９】
<概要>
本実施形態のコンテンツ提供装置は、基本的に実施形態１と同様であるが、視聴者の属性情報及び視聴コンテンツの属性情報と、視聴者の属性情報と視聴コンテンツの属性情報とに応じて視聴者として優先する度合を示す指数を定めた情報であるコンテンツ別優先ルールとに基づいて優先視聴者を決定することを特徴とする。
【００５０】
<構成>
図１５は、本実施形態のコンテンツ提供装置の機能ブロックの一例を示す図である。この図にあるように、「コンテンツ提供装置」１５００は、「カメラ部」１５０１と、「認識情報取得部」１５０２と、「視聴者属性取得部」１５０３と、「優先視聴者決定部」１５０４と、「視聴サービス制御部」１５０５と、「視聴サービス部」１５０６と、「コンテンツ属性取得部」１５０７と、を有し、「優先視聴者決定部」は、「コンテンツ別優先ルール保持手段」１５０８と、「コンテンツ別優先決定手段」１５０９を有する。以下、実施形態１、２との相違点である「コンテンツ属性取得部」と「コンテンツ別優先ルール保持手段」と「コンテンツ別優先決定手段」について説明する。  
【００５１】
「コンテンツ属性取得部」は、視聴コンテンツの属性情報を取得する。視聴コンテンツの属性情報としては、コンテンツを識別するための索引的情報、コンテンツの詳細内容情報、放送イベント履歴情報、コンテンツのジャンル（分類情報）、コンテンツのフォーマット情報などが挙げられる。より具体的には、コンテンツの索引的情報としてコンテンツのタイトル、出演者、監督、原作者、製作会社の情報、話数などが挙げられる。また、コンテンツの詳細内容情報としてコンテンツの開始時間・終了時間、内容時間、コマーシャルの開始時間・終了時間、概要説明、キーワード、撮影場所、利用楽曲などが挙げられる。また、放送イベント履歴情報として、初回放送日時、放送チャンネル名、生放送フラグ、視聴率情報、放送回数などが挙げられる。また、コンテンツのジャンル（分類情報）として、ジャンルコード（ニュース、スポーツ等）、目的区分（娯楽、教養等）、視聴対象コード（児童、一般等）などが挙げられる。また、コンテンツのフォーマット情報として、映像サンプリングレート、音声ビットレート、解像度、録画制限フラグ、視聴回数制限フラグ、などが挙げられる。
【００５２】
「コンテンツ別優先ルール保持手段」は、所定のルールとして、視聴者の属性情報と視聴コンテンツの属性情報とに応じて視聴者として優先する度合を示す指数を定めた情報であるコンテンツ別優先ルールを保持する。図１６は、コンテンツ別優先ルールの一例を示す図である。この図の例では、年齢層や性別によって、視聴者をＣ１（０〜１２歳の子供）、Ｃ２（１３〜１９歳の子供）、Ｆ１（２０〜３４歳の女性）、Ｆ２（３５〜４９歳の女性）、Ｆ３（５０歳以上の女性）、Ｍ１（２０〜３４歳の男性）、Ｍ２（３５〜４９歳の男性）、Ｍ３（５０歳以上の男性）のグループに区分けしている。また、コンテンツのジャンルコードを、ニュース／報道情報／ワイドショー、スポーツ、ドラマ、音楽、バラエティー、・・・、趣味／教育／福祉に区分けしている。そして、コンテンツのジャンルと視聴者の区分に応じて、視聴者として優先する度合を示す指数を定めた優先指数が割り当てられている。優先指数は視聴者の区分の数だけ種類が存在し、優先指数の高いものから順にＡ、Ｂ、・・・、Ｈとなっている。
【００５３】
「コンテンツ別優先決定手段」は、視聴者属性取得部にて取得した視聴者の属性情報とコンテンツ属性取得部にて取得した視聴コンテンツの属性情報と所定のルールであるコンテンツ別優先ルールとに基づいて優先視聴者を決定する。図１６の例で説明すると、視聴者の区分がＦ１、Ｍ１、Ｍ３であり、コンテンツのジャンルコードがスポーツである場合は、Ｍ３の優先指数が最も高くなっているため、Ｍ３の視聴者が優先視聴者となる。また、視聴者の区分がＦ１、Ｍ１、Ｍ３であり、コンテンツのジャンルコードがドラマである場合は、Ｆ１の優先指数が最も高くなっているため、Ｆ１の視聴者が優先視聴者となる。
【００５４】
本実施形態のコンテンツ提供装置は、さらに、実施形態２で述べた「属性別視聴履歴保持部」と、以下で述べる「コンテンツ別優先度ルール更新手段」を備えていてもよい。当該構成を備えていることにより、視聴者の視聴履歴に応じてコンテンツ別優先度ルールを更新することが可能になり、より適切な優先視聴者の選定を行うことが可能になる。
【００５５】
「コンテンツ別優先ルール更新手段」は、属性別視聴履歴に基づいて、コンテンツ別優先ルールを更新する。ここで、更新処理は、属性別視聴履歴が更新されたことを検知して行うことも可能であるし、所定時間間隔又は所定日時の到来をもって行ってもよい。コンテンツ別優先ルールの更新処理としては、視聴履歴が更新されたコンテンツ属性に関して、過去所定期間の各視聴者属性の視聴履歴を比較し、視聴時間の多い（又は視聴回数が多いなど）視聴者属性から順番に高い優先指数を割り当てて、コンテンツ別優先ルールを更新することが考えられる。
【００５６】
<処理の流れ>
図１７は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である。まず、ステップＳ１７０１において、コンテンツ提供装置は、視聴者のいる領域を撮像する（撮像ステップ）。次に、ステップＳ１７０２において、コンテンツ提供装置は、撮像情報から視聴者を認識するための情報である認識情報を取得する（認識情報取得ステップ）。次に、ステップＳ１７０３において、コンテンツ提供装置は、取得した認識情報を用いて視聴者の属性情報を取得する（視聴者属性取得ステップ）。次に、ステップＳ１７０４において、コンテンツ提供装置は、認識される視聴者が複数であるか否か判断する。ここで、認識される視聴者が単数である場合に、ステップＳ１７０５Ａに進む。ここで、認識される視聴者が複数であるとの判断である場合に、ステップＳ１７０５Ｂに進む。ステップＳ１７０５Ａでは、コンテンツ提供装置は、優先視聴者の属性情報を用いて視聴サービスを制御する。ステップＳ１７０５Ｂでは、コンテンツ提供装置は、視聴コンテンツの属性情報を取得する。ステップＳ１７０６Ｂでは、コンテンツ提供装置は、視聴者属性取得ステップにて取得した視聴者の属性情報と、コンテンツ属性取得ステップにて取得した視聴コンテンツの属性情報と、視聴者の属性情報と視聴コンテンツの属性情報とに応じて視聴者として優先する度合を示す指数を定めた情報であるコンテンツ別優先ルールとを用いて優先視聴者を決定する（優先視聴者決定ステップ：コンテンツ別優先決定処理）。ステップＳ１７０７Ｂでは、コンテンツ提供装置は、決定された優先視聴者の属性を用いて視聴サービスを制御する（視聴サービス制御ステップ）。なお、上記処理は所定のタイミング（例えば、一定の時間間隔や特定の操作が行われたタイミング）で行うことが可能であり、新たな視聴者が加わった場合やこれまでいた視聴者がいなくなった場合であっても、その状況においてもっとも適当な優先視聴者を決定することができる。また、ステップＳ１７０３の後に視聴者のメンバー構成に変化があったか否か（視聴者が新たに加わったり、いなくなったりしたか否か）判断し、メンバー構成に変化があった場合にはステップＳ１７０４の処理を行い、メンバー構成に変化がない場合にはステップＳ１７０１に戻る処理を行ってもよい。
【００５７】
<優先視聴者決定処理の具体例１>
図１８は、本実施形態のコンテンツ提供装置における優先視聴者決定処理の流れの一例を示す図である。ステップＳ１８０１では、コンテンツ提供装置は、視聴者数が複数であるか否か判断する。ここで、複数であるとの判断である場合はステップＳ１８０２に進む。複数ではないとの判断である場合は優先視聴者決定処理を終了する。ステップＳ１８０２では、コンテンツ提供装置は、視聴者属性取得処理にて取得された視聴者の年齢・性別（又は視聴者ＩＤ、以下同様）と、コンテンツ属性取得処理にて取得したコンテンツ属性情報と、視聴者の年齢・性別と視聴コンテンツのジャンルとに応じて視聴者として優先する度合を示す指数を定めた情報であるコンテンツ別優先ルールとを用いて、視聴者の視聴優先指数を取得する。次に、ステップＳ１８０３では、コンテンツ提供装置は、視聴者属性取得処理にて年齢・性別を取得した視聴者全てについて優先指数を取得したか否か判断する。ここで、視聴者全てについて優先指数を取得したとの判断である場合、ステップＳ１８０４に進む。優先指数を取得していない視聴者が残っているとの判断である場合は、ステップＳ１８０２に戻る。ステップＳ１８０４では、コンテンツ提供装置は、優先指数が取得された複数の視聴者の優先指数を比較する。ステップＳ１８０５では、コンテンツ提供装置は、優先視聴者を確定し、その視聴者の属性情報をＲＡＭにて保持する。
【００５８】
<優先視聴者決定処理の具体例２>
図１９は、本実施形態のコンテンツ提供装置における優先視聴者決定処理の流れの一例を示す図である。ステップＳ１９０１では、コンテンツ提供装置は、視聴者数が複数であるか否か判断する。ここで、複数であるとの判断である場合はステップＳ１９０２に進む。複数ではないとの判断である場合は優先視聴者決定処理を終了する。ステップＳ１９０２では、コンテンツ提供装置は、視聴者属性取得処理にて取得された視聴者の属性と、コンテンツ属性取得処理にて取得したコンテンツ属性と、視聴者の属性と視聴コンテンツのジャンルとに応じて視聴者として優先する度合を示す指数を定めた情報であるコンテンツ別優先ルールとを用いて、視聴者の視聴優先指数（１）を取得する。次に、ステップＳ１９０３では、コンテンツ提供装置は、視聴者属性取得処理にて取得された視聴者の属性と、現在時刻と、視聴者の属性と視聴時間帯とに応じて視聴者として優先する度合を示す指数を定めた情報である時間帯別優先ルールを用いて、その視聴者の優先指数（２）を取得する。次に、ステップＳ１９０４では、コンテンツ提供装置は、上記優先指数（１）と優先指数（２）を足し合わせて優先指数を算出する。次に、ステップＳ１９０５では、コンテンツ提供装置は、視聴者属性取得処理にて属性を取得した視聴者全てについて優先指数を算出したか否か判断する。ここで、視聴者全てについて優先指数を算出したとの判断である場合、ステップＳ１９０６に進む。優先指数を算出していない視聴者が残っているとの判断である場合は、ステップ１９０２に戻る。ステップＳ１９０６では、コンテンツ提供装置は、優先指数が算出された複数の視聴者の優先指数を比較する。ステップＳ１９０７では、コンテンツ提供装置は、最大の優先指数を有する視聴者が一人であるか否か判断する。ここで、最大の優先指数を有する視聴者が複数である場合はステップＳ１９０８に進む。ここで、最大の優先指数を有する視聴者が一人であるとの判断である場合は、ステップＳ１９０９に進む。ステップＳ１９０８では、コンテンツ提供装置は、視聴時間、優先視聴者になった総時間の長さや、優先視聴者になった回数の多さ、最近優先視聴者になってからの経過時間などに基づいて最大の優先指数を有する視聴者から一人の視聴者を選択する。ステップＳ１９０９では、コンテンツ提供装置は、優先視聴者を確定し、その視聴者の属性情報をＲＡＭにて保持する。
【００５９】
<視聴履歴更新処理の具体例>
図２０は、本実施形態のコンテンツ提供装置における視聴履歴更新処理の流れの一例を示す図である。ステップＳ２００１では、コンテンツ提供装置は、視聴者属性取得処理にて取得される視聴者ＩＤに変化があったか否か判断する。ここで視聴者ＩＤに変化があったとの判断である場合は、ステップＳ２００２に進む。変化がないとの判断である場合は、ステップＳ２００３に進む。ステップＳ２００２では、コンテンツ提供装置は、変化のあった視聴者ＩＤの視聴時間のカウントの開始又は停止を行う。つまり、新たな視聴者が加わった場合は、その視聴者ＩＤの視聴時間のカウントを開始し、特定の視聴者がいなくなった場合は、その視聴者ＩＤの視聴時間のカウントを停止する。次に、ステップＳ２００３において、コンテンツ提供装置は、コンテンツ属性取得処理にて取得される視聴コンテンツ属性に変化があったか否か判断する。ここで、変化があったとの判断である場合は、ステップＳ２００４に進む。変化がないとの判断である場合は、ステップＳ２００５に進む。ステップＳ２００４では、コンテンツ提供装置は、変化のあったコンテンツ属性に関して、各視聴者の視聴時間のカウントの開始又は停止を行う。つまり、新たなコンテンツ属性が加わった場合は、そのコンテンツ属性に関する視聴者ＩＤの視聴時間のカウントを開始し、特定のコンテンツ属性が外れた場合は、そのコンテンツ属性に関する各視聴者ＩＤの視聴時間のカウントを停止する。ステップＳ２００５では、コンテンツ提供装置は、各視聴者の視聴履歴におけるコンテンツ属性ごとの視聴時間の情報を更新する。
【００６０】
<コンテンツ別優先ルール更新処理の具体例>
図２１は、本実施形態のコンテンツ提供装置におけるコンテンツ別優先ルール更新処理の流れの一例を示す図である。ステップＳ２１０１では、コンテンツ提供装置は、視聴者の視聴履歴が更新されたか否か判断する。ここで、視聴履歴が更新されたとの判断である場合は、ステップＳ２１０２に進む。視聴履歴が更新されていないとの判断である場合はコンテンツ別優先ルール更新処理を終了する。ステップＳ２１０２では、コンテンツ提供装置は、視聴履歴における視聴時間が更新されたコンテンツ属性（ジャンル、タイトルなど）に関して、過去所定期間（例えば、過去１カ月）の各性別・年齢層（又は各登録視聴者など、以下同様）の平均視聴回数（又は平均視聴時間など、以下同様）を算出する。次に、ステップＳ２１０３では、コンテンツ提供装置は、算出された各性別・年齢層の平均視聴回数を比較して、平均視聴回数の多い性別・年齢層から順番に高い優先指数を割り当てる。次に、ステップＳ２１０４では、ステップＳ２１０３での割り当て結果に基づいて、不揮発性メモリに格納されているコンテンツ別優先ルールを更新する。ここでは、視聴履歴が更新されたことをもってコンテンツ別優先ルールの更新処理を行っているが、この例に限定されるものではなく、例えば所定時間おき（例えば、１日おき）にコンテンツ別優先ルールの更新処理を行ってもよい。
【００６１】
<効果>
本実施形態のコンテンツ提供装置は、視聴者が複数いる場合、視聴者の属性情報と視聴コンテンツの属性情報とに応じて視聴者として優先する度合を示す指数を定めた情報であるコンテンツ別優先ルールを用いて優先視聴者を決定する。これにより、視聴コンテンツの属性に応じて適当な優先視聴者を決定し、好ましい態様で視聴サービスを提供することが可能になる。
【００６２】
<<実施形態４>>
【００６３】
<概要>
本実施形態のコンテンツ提供装置は、基本的に実施形態１と同様であるが、視聴者の属性情報として、視聴者がリモコン操作者であるか否かを示す情報である操作者情報を取得し、当該操作者情報と、リモコン操作者を優先視聴者とする操作者優先ルールとに基づいて優先視聴者を決定することを特徴とする。
【００６４】
図２２は、本実施形態のコンテンツ提供装置の概要を示す図である。この図の例では、視聴者としてＡとＢがいるが、リモコン操作者を優先するというルールに基づいて、リモコン操作者であるＡを優先視聴者として選定する。その結果、Ａに合わせてメニュー画面が構成される。
【００６５】
<構成>
図２３は、本実施形態のコンテンツ提供装置の機能ブロックの一例を示す図である。この図にあるように、「コンテンツ提供装置」２３００は、「カメラ部」２３０１と、「認識情報取得部」２３０２と、「視聴者属性取得部」２３０３と、「優先視聴者決定部」２３０４と、「視聴サービス制御部」２３０５と、「視聴サービス部」２３０６と、を有し、「視聴者属性情報取得部」は「操作者情報取得手段」２３０７を有し、「優先視聴者決定部」は「操作者優先ルール保持手段」２３０８と、「操作者優先決定手段」２３０９を有する。以下、実施形態１との相違点である「操作者情報取得手段」と「操作者優先ルール保持手段」と「操作者優先決定手段」について説明する。
【００６６】
「操作者情報取得手段」は、視聴者の属性情報として、視聴者がリモコン操作者であるか否かを示す情報である操作者情報を取得する。ここで、操作者情報の取得処理のために、例えば、リモコン操作が行われたことを検知した際に、撮像画像においてリモコン装置が存在する領域を特定し、リモコン装置の位置に最も近い位置にいる視聴者をリモコン操作者であると判断することが考えられる。また、リモコン装置からの信号を受光した角度を検知することが可能である場合は、その角度情報と、撮像画像の情報に基づいてリモコン操作者を特定する処理を行ってもよい。
【００６７】
「操作者優先ルール保持手段」は、所定のルールとして、リモコン操作者を優先視聴者とする操作者優先ルールを保持する。特定の操作を行ったリモコン操作者を優先視聴者とするルールを保持することも可能である。例えば、出力するコンテンツを切り替える操作を行ったリモコン操作者については優先視聴者とみなすが、それ以外の操作（例えば、音量を増減する操作など）を行った場合はリモコン操作者であっても優先視聴者とはみなさないルールとすることも可能である。
【００６８】
「操作者優先決定手段」は、操作者情報取得手段にて取得した操作者情報と所定のルールである操作者優先ルールとに基づいて優先視聴者を決定する。
【００６９】
<処理の流れ>
図２４は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である。まず、ステップＳ２４０１において、コンテンツ提供装置は、視聴者のいる領域を撮像する（撮像ステップ）。次に、ステップＳ２４０２において、コンテンツ提供装置は、撮像情報から視聴者を認識するための情報である認識情報を取得する（認識情報取得ステップ）。次に、ステップＳ２４０３において、コンテンツ提供装置は、取得した認識情報を用いて、視聴者がリモコン操作者であるか否かを示す情報である操作者情報を含む視聴者の属性情報を取得する（視聴者属性取得ステップ：操作者情報取得処理）。次に、ステップＳ２４０４において、コンテンツ提供装置は、認識される視聴者が複数であるか否か判断する。ここで、認識される視聴者が単数である場合に、ステップＳ２４０５Ａに進む。ここで、認識される視聴者が複数であるとの判断である場合に、ステップＳ２４０５Ｂに進む。ステップＳ２４０５Ａでは、コンテンツ提供装置は、決定された優先視聴者の属性を用いて視聴サービスを制御する。ステップＳ２４０５Ｂでは、コンテンツ提供装置は、視聴者属性取得ステップにて取得した操作者情報を含む視聴者の属性情報と、リモコン操作者を優先視聴者とする操作者優先ルールとを用いて優先視聴者を決定する（優先視聴者決定ステップ）。ステップＳ２４０６Ｂでは、コンテンツ提供装置は、優先視聴者の属性情報を用いて視聴サービスを制御する（視聴サービス制御ステップ）。なお、上記処理は所定のタイミング（例えば、一定の時間間隔やリモコン操作が行われたタイミング）で行うことが可能であり、リモコン操作者が変わった場合であっても、その状況においてもっとも適当な優先視聴者を決定することができる。また、ステップＳ２４０３の後に操作者情報に変化があったか否か（別の視聴者がリモコン操作者になったり、視聴者のメンバー構成に変化があったりしたか否か）判断し、操作者情報に変化があった場合にはステップＳ２４０４の処理を行い、操作者情報に変化がない場合にはステップＳ２４０１に戻る処理を行ってもよい。
【００７０】
<視聴者属性情報取得処理（操作者情報取得処理）の具体例：>
図２５は、本実施形態のコンテンツ提供装置における視聴者属性情報取得処理（操作者情報取得処理）の流れの一例を示す図である。まず、ステップＳ２５０１において、コンテンツ提供装置は、リモコン信号を受信したか否か判断する。ここで、リモコン信号を受信したとの判断である場合は、ステップＳ２５０２に進む。リモコン信号を受信していないとの判断である場合は、待機する。次に、ステップＳ２５０２において、コンテンツ提供装置は、カメラ装置からの撮像画像と、不揮発性メモリからＲＡＭに読み出されたリモコン画像とのパターンマッチングを行い、リモコンであると認識される画像領域を抽出する。次に、ステップＳ２５０３において、コンテンツ提供装置は、視聴者認識処理にて認識された視聴者のうち、リモコンに対して最も近い位置にいる視聴者を特定する。ステップＳ２５０４では、コンテンツ提供装置は、リモコンに対して最も近い位置にいる視聴者がリモコン操作者であるとの操作者情報を、その視聴者の属性情報としてＲＡＭに格納する。
【００７１】
<優先視聴者決定処理の具体例>
本実施形態のコンテンツ提供装置における優先視聴者決定処理では、リモコン操作者を優先視聴者とする操作者優先ルールに基づいてリモコン操作者を優先視聴者とする。また、リモコン操作者の属性情報を優先視聴者の属性情報として、ＲＡＭにて保持する。
【００７２】
<効果>
本実施形態のコンテンツ提供装置は、視聴者が複数いる場合、リモコン操作者を優先視聴者とする操作者優先ルールを用いて優先視聴者を決定する。これにより、リモコン操作者を検知することで適当な優先視聴者を決定し、好ましい態様で視聴サービスを提供する
ことが可能になる。
【００７３】
<<実施形態５>>
【００７４】
<概要>
本実施形態のコンテンツ提供装置は、基本的に実施形態１と同様であるが、複数のコンテンツをマルチウインドウ表示することが可能であり、視聴者の属性情報として、視聴者が前記マルチウインドウ中のいずれのウインドウを視聴しているかを示す情報を取得し、当該情報をさらに用いてウインドウごとに優先視聴者を決定することを特徴とする。
【００７５】
図２６は、本実施形態のコンテンツ提供装置の概要を示す図である。この図の例では、２画面でそれぞれ別のコンテンツが提供されており、Ａは左画面を視聴し、Ｂは右画面を視聴している。この場合は、カメラ装置で視聴者がどちらの画面を見ているか判別し、左画面にはＡに合わせたメニュー画面が表示され、右画面にはＢに合わせたメニュー画面が表示される。
【００７６】
<構成>
図２７は、本実施形態のコンテンツ提供装置の機能ブロックの一例を示す図である。この図にあるように、「コンテンツ提供装置」２７００は、「カメラ部」２７０１と、「認識情報取得部」２７０２と、「視聴者属性取得部」２７０３と、「優先視聴者決定部」２７０４と、「視聴サービス制御部」２７０５と、「視聴サービス部」２７０６と、を有し、「視聴者属性情報取得部」は「視聴ウインドウ情報取得手段」２７０７を有し、「優先視聴者決定部」は「ウインドウ別決定手段」２７０８を有し、「視聴サービス部」は「マルチ表示手段」２７０９を有する。以下、実施形態１との相違点である「マルチ表示手段」と「視聴ウインドウ情報取得手段」と「ウインドウ別決定手段」について説明する。
【００７７】
「マルチ表示手段」は、複数のコンテンツをマルチウインドウ表示する。ここで、複数のコンテンツをマルチウインドウ表示するとは、ディスプレイ内部に複数のウインドウ領域を設けて各ウインドウにてそれぞれコンテンツを表示することや、ディスプレイを複数の領域に分割して各分割領域にてそれぞれコンテンツを表示することなどをいう。例えば、ディスプレイを左右の領域に分割し、左の領域ではコンテンツＸを表示出力し、右の領域ではコンテンツＹを表示出力する。
【００７８】
「視聴ウインドウ情報取得手段」は、視聴者の属性情報として、視聴者が前記マルチウインドウ中のいずれのウインドウを視聴しているかを示す情報である視聴ウインドウ情報を取得する。視聴ウインドウ情報の取得処理としては、視聴者の画像から体の中心、左右の目・瞳孔・鼻孔などの位置座標を特定して視聴位置・視線方向を検出し、マルチウインドウ中のいずれのウインドウを視聴しているかを判断することが考えられる。なお、一の視聴者がマルチウインドウ中の複数のウインドウを視聴している場合やディスプレイ以外に目移りしている場合などを考慮して、過去所定時間の範囲内で特定のウインドウを視聴していると判断された場合は、そのウインドウに視聴者であると判断することも可能である。
【００７９】
「ウインドウ別決定手段」は、取得した視聴ウインドウ情報をさらに用いてウインドウごとに優先視聴者を決定する。ここで、ウインドウごとに一人の優先視聴者を決定することが主として考えられるが、複数の視聴サービスの制御が行われる場合などは一のウインドウに対して複数の優先視聴者を決定してもよい。例えば、一のウインドウを見る視聴者が複数いる場合であって、コンテンツなどに含まれる文字の大きさに関しては視力の弱い視聴者を優先視聴者とし、コンテンツなどの音声の大きさに関しては聴力の弱い視聴者を優先視聴者とする。
【００８０】
<処理の流れ>
図２８は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である。まず、ステップＳ２８０１において、コンテンツ提供装置は、視聴者のいる領域を撮像する（撮像ステップ）。次に、ステップＳ２８０２において、コンテンツ提供装置は、撮像情報から視聴者を認識するための情報である認識情報を取得する（認識情報取得ステップ）。次に、ステップＳ２８０３において、コンテンツ提供装置は、取得した認識情報を用いて、視聴者が前記マルチウインドウ中のいずれのウインドウを視聴しているかを示す情報である視聴ウインドウ情報を含む視聴者の属性情報を取得する（視聴者属性取得ステップ：視聴ウインドウ情報取得処理）。次に、ステップＳ２８０４において、コンテンツ提供装置は、認識される視聴者が複数であるか否か判断する。ここで、認識される視聴者が単数である場合に、ステップＳ２８０５Ａに進む。ここで、認識される視聴者が複数であるとの判断である場合に、ステップＳ２８０５Ｂに進む。ステップＳ２８０５Ａでは、コンテンツ提供装置は、優先視聴者の属性情報を用いて視聴サービスを制御する。ステップＳ２８０５Ｂでは、コンテンツ提供装置は、視聴者属性取得ステップにて取得した視聴ウインドウ情報を含む視聴者の属性情報と所定のルールとを用いてウインドウごとに優先視聴者を決定する（優先視聴者決定ステップ）。ステップＳ２８０６Ｂでは、コンテンツ提供装置は、ウインドウごとに決定された優先視聴者の属性を用いて視聴サービスを制御する（視聴サービス制御ステップ）。なお、上記処理は所定のタイミング（例えば、一定の時間間隔や特定の操作が行われたタイミング）で行うことが可能であり、視聴者が視聴するウインドウを変更した場合であっても、その状況においてもっとも適当な優先視聴者を決定することができる。また、ステップＳ２８０３の後に視聴ウインドウ情報に変化があったか否か（視聴者が視聴するウインドウを変更したり、視聴者のメンバー構成が変化したりしたか否か）判断し、視聴ウインドウ情報に変化があった場合にはステップＳ２８０４の処理を行い、視聴ウインドウ情報に変化がない場合にはステップＳ２８０１に戻る処理を行ってもよい。
【００８１】
<視聴者属性取得処理（視聴ウインドウ情報取得処理）の具体例>
図２９は、本実施形態のコンテンツ提供装置における視聴者属性取得処理（視聴ウインドウ情報取得処理）の流れの一例を示す図である。まず、ステップＳ２９０１において、コンテンツ提供装置は、複数のコンテンツをマルチウインドウ表示しているか否か判断する。ここで、マルチウインドウ表示していないとの判断である場合は、待機する。ここで、マルチウインドウ表示しているとの判断である場合は、ステップＳ２９０２に進む。ステップＳ２９０２では、コンテンツ提供装置は、一の視聴者の画像から、体の中心、左右の目・瞳孔・鼻孔などの位置座標を特定し、その視聴者の視聴位置、視線方向を検出する。次に、ステップＳ２９０３において、コンテンツ提供装置は、ステップＳ２９０２にて検出された視聴者の視聴位置、視線方向から、マルチウインドウ中のいずれのウインドウを視聴しているかを判断する。次に、ステップＳ２９０４において、コンテンツ提供装置は、ステップＳ２９０３の判断結果に応じて視聴者がマルチウインドウ中のいずれのウインドウを視聴しているかを示す情報である視聴ウインドウ情報を、属性情報としてＲＡＭにて保持する。次に、ステップＳ２９０５では、コンテンツ提供装置は、視聴者全てについて視聴ウインドウ情報を取得したか否か判断する。ここで、取得したとの判断である場合は、視聴ウインドウ情報取得処理を終了する。取得していない視聴者が残っているとの判断である場合は、ステップＳ２９０２に戻る。
【００８２】
<優先視聴者決定処理（ウインドウ別決定処理）の具体例>
図３０は、本実施形態のコンテンツ提供装置における優先視聴者決定処理（ウインドウ別決定処理）の流れの一例を示す図である。ステップＳ３００１では、コンテンツ提供装置は、視聴者数が複数であるか否か判断する。ここで、複数であるとの判断である場合はステップＳ３００２に進む。複数ではないとの判断である場合は優先視聴者決定処理を終了する。次に、ステップＳ３００２では、コンテンツ提供装置は、一のウインドウを選択し、そのウインドウを視聴している視聴者のＩＤを、視聴者属性取得処理にて取得した視聴ウインドウ情報を用いて抽出する。次に、ステップＳ３００３では、コンテンツ提供装置は、ステップＳ３００２にて抽出された視聴者ＩＤと、視聴者ＩＤに応じて視聴者として優先する度合を示す指数を定めた情報であるＩＤ優先ルールとを用いて、視聴者の視聴優先指数を取得する。次に、ステップＳ３００４では、コンテンツ提供装置は、ステップＳ３００２にて抽出された視聴者ＩＤを取得した視聴者全てについて優先指数を取得したか否か判断する。ここで、視聴者全てについて優先指数を取得したとの判断である場合、ステップＳ３００５に進む。優先指数を取得していない視聴者が残っているとの判断である場合は、ステップ３００３に戻る。ステップＳ３００５では、コンテンツ提供装置は、優先指数が取得された複数の視聴者の優先指数を比較する。ステップＳ３００６では、コンテンツ提供装置は、選択されたウインドウについて優先視聴者を確定し、その視聴者の属性情報をＲＡＭにて保持する。次に、ステップＳ３００７では、コンテンツ提供装置は、全てのウインドウについて優先視聴者を確定したか否か判断する。ここで、全てのウインドウについて優先視聴者を確定したとの判断である場合は、優先視聴者決定処理を終了する。優先視聴者が確定していないウインドウが残っているとの判断である場合は、ステップＳ３００２に戻る。
【００８３】
<視聴サービス制御処理の具体例>
図３１は、本実施形態のコンテンツ提供装置における視聴サービス制御処理の流れの一例を示す図である。まず、ステップＳ３１０１において、コンテンツ提供装置は、一のウインドウを選択し、そのウインドウについて優先視聴者決定処理により決定された優先視聴者の視聴サービスに関係する属性を抽出する。次に、ステップＳ３１０２において、コンテンツ提供装置は、不揮発性メモリから優先視聴者の属性と特定のウインドウの視聴サービスの内容を関連づけた情報をＲＡＭに読み出し、抽出された優先視聴者の属性に応じて選択されたウインドウの視聴サービスの内容を決定する。次に、ステップＳ３１０３において、コンテンツ提供装置は、決定された視聴サービスの内容となるように、選択されたウインドウの視聴サービスに関係する機器（ディスプレイ、スピーカーなど）を制御する。次に、ステップＳ３１０４において、コンテンツ提供装置は、選択されたウインドウについて制御すべき視聴サービスの全てについて、優先視聴者の属性に応じてその制御が行われたか否か判断する。ここで、全て行われたとの判断である場合は、ステップＳ３１０５に進む。制御が行われていない視聴サービスが残っているとの判断である場合は、ステップＳ３１０２に戻る。ステップＳ３１０５では、コンテンツ提供装置は、全てのウインドウについて視聴サービスの制御が行われてか否か判断する。ここで、全てのウインドウについて視聴サービスの制御が行われたとの判断である場合は、視聴サービス制御処理を終了する。視聴サービスの制御が行われていないウインドウが残っているとの判断である場合は、ステップＳ３１０１に戻る。
【００８４】
<効果>
本実施形態のコンテンツ提供装置は、視聴者が複数いる場合、視聴者が前記マルチウインドウ中のいずれのウインドウを視聴しているかを示す情報を含む視聴者属性情報を取得し、当該情報を用いてウインドウごとに優先視聴者を決定する。これにより、その場の状況にとって好ましい態様で視聴サービスを提供することが可能になる。
【００８５】
<<実施形態６>>
【００８６】
<概要>
本実施形態のコンテンツ提供装置は、基本的に実施形態１と同様であるが、視聴者の視線がコンテンツ提供装置の画面に向けられている程度を示す情報（視線情報）を取得して、その程度が最大である視聴者を優先するように優先視聴者を決定することを特徴とする。
【００８７】
<構成>
図３２は、本実施形態のコンテンツ提供装置の機能ブロックの一例を示す図である。この図にあるように、「コンテンツ提供装置」３２００は、「カメラ部」３２０１と、「認識情報取得部」３２０２と、「視聴者属性取得部」３２０３と、「優先視聴者決定部」３２０４と、「視聴サービス制御部」３２０５と、「視聴サービス部」３２０６と、を有し、「視聴者属性取得部」は、「視線情報取得手段」３２０７を有し、「優先視聴者決定部」は、「視線優先ルール保持手段」３２０８と、「視線依存優先決定手段」３２０９と、を有する。本実施形態の目的は、コンテンツ提供装置に最も多くの視線を向けている視聴者を優先視聴者として選定できるようにすることにある。これは、コンテンツ提供装置に最も多くの視線を向けている視聴者がそのコンテンツを最も熱心に視聴している者であり、従って、最も優先されるべき視聴者であると考える場合に対応するためのものである。以下、実施形態１との相違点である「視線情報取得手段」と「視線優先ルール保持手段」と「視線依存優先決定手段」について説明する。
【００８８】
「視線情報取得手段」は、視聴者の属性情報として「視線情報」を取得するように構成されている。「視線情報」とは、視聴者の視線がコンテンツ提供装置の画面に向けられている程度を示す情報をいう。視聴者の視線がコンテンツ提供装置の画面に向けられているかどうかの判断は公知の視線認識技術を用いて行うことが可能である。例えば、予め視聴者の顔の正面画像情報をデータベースに登録しておき、コンテンツ提供装置の画面付近に備えられたカメラ部で撮像した視聴者の顔画像と照合することで視聴者が画面に正対しているかどうか判断し、正対していると判断される場合には視線が向けられていると判断するようにしてもよい。あるいは、もう少し精緻に、カメラ部で撮像した顔画像から眼球（露出している部分をいう。以下同じ）の中心位置と瞳孔の中心位置を検出し、両者がほぼ一致していれば視線が向けられていると判断するようにしてもよい。いずれの方法においても、撮像した顔画像と予め登録された顔画像とを照合することで、撮像した顔画像がどの視聴者のものであるかを認識することができる。この撮像は全ての視聴者を対象として視聴者ごとに行う。また、視線が向けられている「程度」は、例えば、視聴者の視線が向けられている時間で測る（時間が長いほど程度が大きいと判断する）ことが可能である。
【００８９】
「視線優先ルール保持手段」は、所定のルールとして「視線優先ルール」を保持するように構成されている。「視線優先ルール」は、視線情報にてコンテンツ提供装置の画面に視線が向けられている程度が最大である視聴者を優先すると定めた情報である。視線優先ルールの具体的内容としては、例えば視線が向けられている時間が最も長い視聴者を優先するといったものが考えられる。
【００９０】
「視線依存優先決定手段」は、視線情報取得手段にて取得した視線情報と所定のルールである視線優先ル−ルとに基づいて優先視聴者を決定するように構成されている。例えば、複数の視聴者Ａ〜Ｃがいる場合に、視線がコンテンツ提供装置の画面に向けられている時間で示した視線情報のうち視聴者Ａの視線情報が示す時間が最長であれば、視線優先ルールに基づいて視聴者Ａを優先視聴者として決定する。
【００９１】
<処理の流れ>
図３３は、本実施形態のコンテンツ提供装置の処理の流れの一例を示す図である。以下に述べる処理は、コンテンツ提供装置にて実行されるプログラムによって実現され、そのプログラムは記憶媒体に記憶することが可能である（以下の実施形態においても同様である）。まず、ステップＳ３３０１において、コンテンツ提供装置は、視聴者のいる領域を撮像する（撮像ステップ）。次に、ステップＳ３３０２において、コンテンツ提供装置は、撮像情報から視聴者を認識するための情報である認識情報を取得する（認識情報取得ステップ）。次に、ステップＳ３３０３において、コンテンツ提供装置は、取得した認識情報を用いて、視線情報を含む視聴者の属性を取得する（視聴者属性取得ステップ：視線情報取得処理を含む）。具体的には、コンテンツ提供装置は、取得した認識情報を用いて視聴者の属性として、視聴者の名前、性別、年齢層、顔画像などの情報及び視線情報を取得する。次に、ステップＳ３３０４において、コンテンツ提供装置は、認識される視聴者が複数であるか否か判断する。ここで、認識される視聴者が単数である場合に、ステップＳ３３０５Ａに進む。ここで、認識される視聴者が複数であるとの判断である場合に、ステップＳ３３０５Ｂに進む。ステップＳ３３０５Ａでは、コンテンツ提供装置は、視聴者の属性を用いて視聴サービスを制御する。ステップＳ３３０５Ｂでは、コンテンツ提供装置は、視聴者属性取得ステップにて取得した視線情報を含む視聴者の属性情報と、視線優先ルールとを用いて優先視聴者を決定する（優先視聴者決定ステップ）。ステップＳ３３０６Ｂでは、コンテンツ提供装置は、優先視聴者の属性情報を用いて視聴サービスを制御する（視聴サービス制御ステップ）。これらの処理によって、コンテンツ提供装置の画面に最も多くの視線を向けている視聴者が優先視聴者と決定され、当該視聴者の属性に応じた視聴サービスが提供されることになる。
【００９２】
あるいは、ステップＳ３３０３において、コンテンツ提供装置は上記処理に代えて視線情報を含まない視聴者の属性を取得し、ステップＳ３３０４において認識される視聴者が複数であると判断された場合にのみ各視聴者の視線情報を取得するようにしてもよい（以下の実施形態においても同様である）。視聴者が単数であれば視聴者間で視線の程度を比較する必要がないからである。
【００９３】
以上の処理は所定のタイミング（例えば、一定の時間間隔や特定の操作が行われたタイミング）で行うことが可能であり、新たな視聴者が加わった場合やこれまでいた視聴者がいなくなった場合であっても、その状況においてもっとも適当な優先視聴者を決定することができる。また、ステップＳ３３０３の後に視聴者のメンバー構成に変化があったか否か（視聴者が新たに加わったり、いなくなったりしたか否か）判断し、メンバー構成に変化があった場合にはステップＳ３３０４の処理を行い、メンバー構成に変化がない場合にはステップＳ３３０１に戻る処理を行ってもよい（以下の実施形態においても同様である）。
【００９４】
<視聴者属性取得処理（視線情報取得処理）の具体例>
図３４は、本実施形態のコンテンツ提供装置における視聴者属性取得処理（視線情報取得処理）の流れの一例を示す図である。まず、ステップＳ３４０１において、コンテンツ提供装置は、例えば、自身の画面付近に備えられたカメラ部で視聴者の顔画像を撮像する。次に、ステップＳ３４０２において、コンテンツ提供装置は、撮像した顔画像から例えば眼球の中心位置と瞳孔の中心位置を検出するなどにより視聴者の視線を検出する。この撮像及び視線の検出は例えばコンテンツの表示開始から一定時間（例えば５分間）行われる。また、この撮像・検出を連続的に複数回（例えば２０分間）行ってもよいし、断続的に複数回（例えば５分間の撮像・検出を１分間のインターバルを置いて４回）行ってもよい。次に、ステップＳ３４０３において、コンテンツ提供装置は、検出した眼球の中心位置と瞳孔の中心位置がほぼ一致するか判断することなどにより視聴者の視線がコンテンツ提供装置の画面に向けられているか判断する。ここで「ほぼ一致」の判断基準は、両者の位置の差が眼球の直径の何％以内ならほぼ一致と判断するというような基準を予め定めておけばよい。次に、ステップＳ３４０４において、コンテンツ提供装置は、例えば上記のようなほぼ一致している状態が検出された時間を計測することで、画面に視線が向けられている程度を取得する。以上の処理は、顔画像を撮像した全ての視聴者について視聴者ごとに行う。視線情報の取得処理を全ての視聴者について行うことで、画面に視線が向けられている程度の大小を視聴者間で比較することが可能となる。
【００９５】
<優先視聴者決定処理（視線依存優先決定処理）の具体例>
次に、コンテンツ提供装置は、上記処理によって取得した各視聴者の視線が向けられている程度に基づいて、その程度が最大である視聴者を優先する優先視聴者決定処理（視線依存優先決定処理）を行う。視線が向けられている程度が最大である視聴者が誰であるかの判断は、例えば各視聴者の視線が画面に向けられている時間を所定時間内で比較して、その時間が最長の者を優先視聴者と決定するようにすればよい。あるいは、所定時間内において顔画像が撮像されていた時間のうち視線が向けられていた時間が占める比率が最も高い者を優先視聴者と決定するようにしてもよい。
【００９６】
この処理は、所定のタイミング（例えばコンテンツ表示開始後５分後）で一回だけ行い、その結果を以後コンテンツ表示終了までのすべての視聴サービス制御処理に反映するようにしてもよい。あるいは、所定のタイミングで複数回（例えばコンテンツ表示開始〜５分後、５〜１０分後、１０〜１５分後など）繰り返して行い、その都度視聴サービス制御処理の内容を更新する形で反映するようにしてもよい。また、この優先決定処理を構成メンバーに変化が生じるたびや番組が切り替わるたびに行うようにしてもよい。
【００９７】
<視聴サービス制御処理の具体例>
本実施例における視聴サービス制御処理の流れは、実施形態１などで説明したところと基本的に同様であるが、本実施形態においては、視線が向けられている程度が最大であるとして優先視聴者に決定された視聴者の属性に合わせて視聴サービスの内容を決定する。例えば、優先視聴者として決定された視聴者の属性としての年齢層、視力、聴力に合わせて、視聴サービスの内容として出力コンテンツの文字の大きさや音量を決定し、これに従ったサービスを提供するためにディスプレイ、スピーカーなどの機器を制御する。例えば優先視聴者が老人であればコンテンツの文字を大きく表示したり大きな音量で出力する制御を行う。また、制御すべき視聴サービスの全てについて、優先視聴者の属性に応じてその制御が行われたか否か判断し、全て行われたとの判断である場合は、視聴サービス制御処理を終了する。制御が行われていない視聴サービスが残っているとの判断である場合は、視聴サービスの内容を決定するステップに戻る。
【００９８】
<効果>
本実施形態のコンテンツ提供装置によれば、コンテンツ提供装置の画面に視線を向けている程度が最大である視聴者を優先視聴者とすることができるので、そのコンテンツを熱心に視聴している蓋然性が最も高い視聴者の属性に対応した視聴サービス制御処理を行うことが可能になる。
【００９９】
<<実施形態７>>
【０１００】
<概要>
本実施形態のコンテンツ提供装置は、基本的に実施形態１と同様であるが、視聴者の移動の程度の少なさを示す情報を取得して、移動の程度が最も少ない視聴者を優先するように優先視聴者を決定することを特徴とする。
【０１０１】
<構成>
図３５は、本実施形態のコンテンツ提供装置の機能ブロックの一例を示す図である。この図にあるように、「コンテンツ提供装置」３５００は、「カメラ部」３５０１と、「認識情報取得部」３５０２と、「視聴者属性取得部」３５０３と、「優先視聴者決定部」３５０４と、「視聴サービス制御部」３５０５と、「視聴サービス部」３５０６とを有し、「視聴者属性取得部」は、「移動情報取得手段」３５０７を有し、「優先視聴者決定部」は、「移動優先ルール保持手段」３５０８と、「移動依存優先決定手段」３５０９と、を有する。本実施形態の目的は、コンテンツ提供装置の前での移動が最も少ない視聴者がそのコンテンツを最も熱心に視聴している者であり、従って、最も優先されるべき視聴者であると考える場合に対応するためのものである。例えば、小さな子供は、親がテレビを見ていればその近くにはいるものの、テレビ番組に興味がなければテレビの周辺で動き回っているということが多いと考えられる。従って、コンテンツ提供装置の前での動きが少ないほどその視聴者は当該コンテンツを熱心に視聴している蓋然性が高く、最も優先されるべき視聴者であると考えることができる。以下、実施形態１との相違点である「移動情報取得手段」と「移動優先ルール保持手段」と「移動依存優先決定手段」について説明する。
【０１０２】
「移動情報取得手段」は、視聴者の属性情報として「移動情報」を取得するように構成されている。「移動情報」とは、視聴者の移動の少なさの程度を示す情報をいう。視聴者が移動したかどうか、またどの程度移動したかの判断には公知の画像認識技術を用いればよい。例えば、予め視聴者の顔や身体の画像情報を登録しておくとともに、撮像領域を複数の画像ブロックに分けておき、カメラ部で一定時間ごとに撮像した複数の画像の位置（例えば顔の中心位置）が複数の画像ブロックにわたっているかを検出し、例えば複数の画像ブロックにわたっていなければ移動していないと判断し、複数の画像ブロックにわたっている場合には移動したと判断するようにすればよい。また、移動があった場合には、各画像ブロックの位置情報に基づいて何ブロック移動したかを判断するようにする。また、これらの移動について定量的な比較を可能にするために、例えば移動がない場合を「０」、１ブロック離れた画像ブロックへの移動があった場合を「１」などと指数化し、所定時間内における数値の合計を「移動の程度」として取得するようにしてもよい。
【０１０３】
「移動優先ルール保持手段」は、所定のルールとして、「移動優先ルール」を保持するように構成されている。「移動優先ルール」は、移動情報にて視聴者の移動の最も少ない視聴者を優先すると定めた情報である。移動優先ルールの具体的内容としては、例えば、上述のように指数化して取得された移動の程度を比較して、その数値が最も小さい視聴者を移動の最も少ない視聴者として優先するといったものが考えられる。
【０１０４】
「移動依存優先決定手段」は、移動情報取得手段にて取得した移動情報と所定のルールである移動優先ル−ルとに基づいて優先視聴者を決定するように構成されている。例えば、複数の視聴者Ａ〜Ｃがいる場合に、所定時間内における数値の合計で示した移動情報が、視聴者Ａについては「０」、視聴者Ｂについては「１５」、視聴者Ｃについては「３３」である場合に、移動優先ルールに基づいて視聴者Ａを優先視聴者として決定する。
【０１０５】
<処理の流れ>
図３６は、本実施形態のコンテンツ提供装置の処理の流れの一例を示す図である。このうち、ステップＳ３６０１及びステップＳ３６０２における処理は実施形態６などにおいて説明したところと同様である。次に、ステップＳ３６０３において、コンテンツ提供装置は、取得した認識情報を用いて、移動情報を含む視聴者の属性を取得する（視聴者属性取得ステップ：移動情報取得処理を含む）。具体的には、コンテンツ提供装置は、取得した認識情報を用いて視聴者の属性として、視聴者の名前、性別、年齢層、顔画像などの情報及び移動情報を取得する。次に、ステップＳ３６０４において、コンテンツ提供装置は、認識される視聴者が複数であるか否か判断する。ここで、認識される視聴者が単数である場合に、ステップＳ３６０５Ａに進む。ここで、認識される視聴者が複数であるとの判断である場合に、ステップＳ３６０５Ｂに進む。ステップＳ３６０５Ａでは、コンテンツ提供装置は、視聴者の属性を用いて視聴サービスを制御する。ステップＳ３６０５Ｂでは、コンテンツ提供装置は、視聴者属性取得ステップにて取得した移動情報を含む視聴者の属性情報と、移動優先ルールとを用いて優先視聴者を決定する（優先視聴者決定ステップ）。ステップＳ３６０６Ｂでは、コンテンツ提供装置は、優先視聴者の属性情報を用いて視聴サービスを制御する（視聴サービス制御ステップ）。これらの処理によって、移動の程度の最も少ない視聴者が優先視聴者と決定され、当該視聴者の属性に応じた視聴サービスが提供されることになる。
【０１０６】
<視聴者属性取得処理（移動情報取得処理）の具体例>
図３７は、本実施形態のコンテンツ提供装置における視聴者属性取得処理（移動情報取得処理）の流れの一例を示す図である。まず、ステップＳ３７０１において、コンテンツ提供装置は、例えば、自身の画面付近に備えられたカメラ部で視聴者の身体画像を撮像する。次に、ステップＳ３７０２において、コンテンツ提供装置は、撮像した身体画像が撮像領域内のどの画像ブロックに位置するかを検出する。次に、ステップＳ３７０３において、コンテンツ提供装置は当該身体画像を再び撮像し、ステップＳ３７０４においてその所在する画像ブロックの検出を行う。次に、ステップＳ３７０５において、コンテンツ提供装置は、ステップＳ３７０２、Ｓ３７０４で検出した二つの画像が所在する画像ブロックの位置の変化の有無を比較して、その視聴者が移動したかどうかを判断する。以上の撮像、検出、判断は例えばコンテンツの表示開始から一定時間ごと（例えば５分ごと）に複数回繰り返して行われる。次に、ステップＳ３７０６において、コンテンツ提供装置は、これらの判断結果に基づいて移動情報を取得する。例えば、指数で表わした移動情報の数値を合計することで、移動の程度を定量的に把握することができる。この取得処理を全ての視聴者について行うことで、移動の程度を視聴者間で比較することが可能となる。
【０１０７】
<優先視聴者決定処理（視線依存優先決定処理）の具体例>
次に、コンテンツ提供装置は、上記処理によって取得した各視聴者の移動情報に基づいて、移動の少なさの程度が最大（換言すれば移動の程度が最小）である視聴者を優先する優先視聴者決定処理（移動依存優先決定処理）を行う。移動の程度が最小である視聴者が誰であるかの判断は、例えば上記処理によって移動の程度を指数で表わした移動情報を比較して、その数値が最小の者を優先視聴者と決定する。この処理は、所定のタイミングで二回だけ（例えばコンテンツ表示開始時及び５分後に）行い、その結果を以後コンテンツ表示終了までのすべての視聴サービス制御処理に反映するようにしてもよい。あるいは、所定のタイミングで複数回（例えばコンテンツ表示開始時、５分後、１０分後、１５分後など）繰り返して行い、その都度視聴サービス制御処理の内容を更新する形で反映するようにしてもよい。また、この優先決定処理を構成メンバーに変化が生じるたびや番組が切り替わるたびに行うようにしてもよい。
【０１０８】
<視聴サービス制御処理の具体例>
本実施例における視聴サービス制御処理の流れは、実施形態１などで説明したところと基本的に同様であるが、本実施形態においては、移動の少なさの程度が最大（移動の程度が最小）であるとして優先視聴者に決定された視聴者の属性に合わせて視聴サービスの内容を決定する。その具体例は実施形態１などで述べたところと同様である。また、制御すべき視聴サービスの全てについて、優先視聴者の属性に応じてその制御が行われたか否か判断し、全て行われたとの判断である場合は、視聴サービス制御処理を終了する。制御が行われていない視聴サービスが残っているとの判断である場合は、視聴サービスの内容を決定するステップに戻る。
【０１０９】
<効果>
本実施形態のコンテンツ提供装置によれば、コンテンツ提供装置の前での移動が最も少ない視聴者を優先視聴者とすることができるので、そのコンテンツを熱心に視聴している蓋然性が最も高い視聴者の属性に対応した視聴サービス制御処理を行うことが可能になる。
【０１１０】
<<実施形態８>>
【０１１１】
<概要>
本実施形態のコンテンツ提供装置は、基本的に実施形態１と同様であるが、視聴者をコンテンツ操作者と関連付けて特定するための情報を取得し、当該情報によって特定される視聴者が再生されているコンテンツの録画者など操作者である場合にはその視聴者を優先するように優先視聴者を決定することを特徴とする。
【０１１２】
<構成>
図３８は、本実施形態のコンテンツ提供装置の機能ブロックの一例を示す図である。この図にあるように、「コンテンツ提供装置」３８００は、「カメラ部」３８０１と、「認識情報取得部」３８０２と、「視聴者属性取得部」３８０３と、「優先視聴者決定部」３８０４と、「視聴サービス制御部」３８０５と、「視聴サービス部」３８０６とを有し、「視聴者属性取得部」は、「コンテンツ操作者情報取得手段」３８０７を有し、「優先視聴者決定部」は、「コンテンツ操作者優先ルール保持手段」３８０８と、「コンテンツ操作者優先決定手段」３８０９と、を有する。本実施形態の目的は、コンテンツの視聴者の中に当該コンテンツの録画者などの操作者がいる場合には、その視聴者がそのコンテンツに対して最も高い関心を有している者であり、従って、最も優先されるべき視聴者であると考える場合に対応するためのものである。以下、実施形態１との相違点である「コンテンツ操作者情報取得手段」と「コンテンツ操作者優先ルール保持手段」と「コンテンツ操作者優先決定手段」について説明する。
【０１１３】
「コンテンツ操作者情報取得手段」は、視聴者の属性情報として「コンテンツ操作者情報」を取得するように構成されている。「コンテンツ操作者情報」とは、視聴者をコンテンツ操作者と関連付けて特定するための情報をいう。ここでいうコンテンツの操作には、録画、録画予約、視聴予約、再生（再生開始）などが含まれる。
【０１１４】
視聴者をコンテンツ操作者と関連付けて特定するための構成としては次のようなものが考えられる。例えば、操作者がリモコンを用いて操作を行う場合には、リモコンの操作ボタンをユーザごとに別に設けておき、押下された操作ボタンに関連付けられた操作者の識別情報を操作命令と一緒に送信し、送信された操作者の識別情報を操作対象となったコンテンツに関連付けて記憶する。あるいは、リモコンにユーザごとのボタンを設ける代わりに、数字ボタン等を利用して操作ボタン押下に先立ってユーザの識別番号を入力させるといった構成でもよい。さらには、実施形態４で述べた方法によって特定されたリモコン操作者に関する情報を操作対象となったコンテンツに関連付けておくことで操作者の特定を行うようにしてもよい。
【０１１５】
「コンテンツ操作者優先ルール保持手段」は、所定のルールとして、「コンテンツ操作者優先ルール」を保持するように構成されている。「コンテンツ操作者優先ルール」は、コンテンツ操作者情報取得手段にて取得された情報によって特定される視聴者が再生されているコンテンツの録画者など操作者である場合にはその視聴者を優先視聴者とするものである。操作者が二人以上いる場合には優先順位に序列を設けてもよい。例えばそのコンテンツの録画はＡが行なったが再生開始ボタンをＢが押したといった場合やＡが視聴予約を行ったコンテンツをＢが行った録画予約に基づいて録画しつつ視聴する場合に、再生者が録画者に優先するとか、視聴予約者が録画者に優先するといったようなルールを定めておくことが考えられる。あるいは、優先順位の序列を一義的に定めて、例えば常にＡが優先するといったようにしてもよい。
【０１１６】
「コンテンツ操作者優先決定手段」は、コンテンツ操作者情報取得手段にて取得したコンテンツ操作者情報と所定のルールであるコンテンツ操作者優先ルールとに基づいて優先視聴者を決定するように構成されている。例えば、複数の視聴者Ａ〜Ｃがいる場合に、その中にコンテンツの操作者がいるかどうかを判断し、いればその者、例えば録画者Ａを優先視聴者として決定する。録画者Ａ、再生者Ｂがいる場合のように操作者が複数いる場合には例えば上述のようなコンテンツ操作者優先ルールに定めた序列に従って優先視聴者を決定するようにしてもよい。一方、視聴者の中にコンテンツ操作者がいない場合には本ルールに基づく優先視聴者決定処理は行われない。
【０１１７】
<処理の流れ>
図３９は、本実施形態のコンテンツ提供装置の処理の流れの一例を示す図である。このうち、ステップＳ３９０１及びステップＳ３９０２における処理は実施形態６などにおいて説明したところと同様である。次に、ステップＳ３９０３において、コンテンツ提供装置は、取得した認識情報を用いて、コンテンツ操作者情報を含む視聴者の属性を取得する（視聴者属性取得ステップ：コンテンツ操作者情報取得処理を含む）。具体的には、コンテンツ提供装置は、取得した認識情報を用いて視聴者の属性として、視聴者の名前、性別、年齢層、顔画像などの情報及びコンテンツ操作者情報を取得する。次に、ステップＳ３９０４において、コンテンツ提供装置は、認識される視聴者が複数であるか否か判断する。ここで、認識される視聴者が単数である場合に、ステップＳ３９０５Ａに進む。ここで、認識される視聴者が複数であるとの判断である場合に、ステップＳ３９０５Ｂに進む。ステップＳ３９０５Ａでは、コンテンツ提供装置は、視聴者の属性を用いて視聴サービスを制御する。ステップＳ３９０５Ｂでは、コンテンツ提供装置は、視聴者属性取得ステップにて取得したコンテンツ操作者情報を含む視聴者の属性情報と、コンテンツ操作者優先ルールとを用いて優先視聴者を決定する（優先視聴者決定ステップ）従って、複数の視聴者の中にコンテンツ操作者がいればその者が優先視聴者として決定される。ステップＳ３９０６Ｂでは、コンテンツ提供装置は、優先視聴者の属性情報を用いて視聴サービスを制御する（視聴サービス制御ステップ）。これらの処理によって、視聴者の中にコンテンツ操作者がいればその者が優先視聴者と決定され、当該視聴者の属性に応じた視聴サービスが提供されることになる。
【０１１８】
<視聴サービス制御処理の具体例>
本実施例における視聴サービス制御処理の流れは、実施形態１などで説明したところと基本的に同様であるが、本実施形態においては、コンテンツ操作者であるとして優先視聴者に決定された視聴者の属性に合わせて視聴サービスの内容を決定する。その具体例は実施形態１などで述べたところと同様である。また、制御すべき視聴サービスの全てについて、優先視聴者の属性に応じてその制御が行われたか否か判断し、全て行われたとの判断である場合は、視聴サービス制御処理を終了する。制御が行われていない視聴サービスが残っているとの判断である場合は、視聴サービスの内容を決定するステップに戻る。
【０１１９】
<効果>
本実施形態のコンテンツ提供装置によれば、コンテンツの視聴者の中に当該コンテンツの録画者などの操作者がいる場合にその視聴者を優先視聴者とすることができるので、そのコンテンツを熱心に視聴している蓋然性が最も高い視聴者の属性に対応した視聴サービス制御処理を行うことが可能になる。
【０１２０】
<<実施形態９>>
【０１２１】
<概要>
本実施形態のコンテンツ提供装置は、基本的に実施形態１と同様であるが、視聴者がコンテンツ提供装置の所有者であることを示す情報を取得し、当該情報によってコンテンツ提供装置の所有者であると示された視聴者を優先視聴者と決定することを特徴とする。
【０１２２】
<構成>
図４０は、本実施形態のコンテンツ提供装置の機能ブロックの一例を示す図である。この図にあるように、「コンテンツ提供装置」４０００は、「カメラ部」４００１と、「認識情報取得部」４００２と、「視聴者属性取得部」４００３と、「優先視聴者決定部」４００４と、「視聴サービス制御部」４００５と、「視聴サービス部」４００６とを有し、「視聴者属性取得部」は、「所有者情報取得手段」４００７を有し、「優先視聴者決定部」は、「所有者優先ルール保持手段」４００８と、「所有者優先決定手段」４００９と、を有する。本実施形態の目的は、複数の視聴者の中にコンテンツ提供装置の所有者がいる場合には、その所有者を優先視聴者として選定できるようにすることにある。以下、実施形態１との相違点である「所有者情報取得手段」と「所有者優先ルール保持手段」と「所有者優先決定手段」について説明する。
【０１２３】
「所有者情報取得手段」は、視聴者の属性情報として、「所有者情報」を取得するように構成されている。「所有者情報」とは、視聴者がコンテンツ提供装置所有者であることを示す情報をいう。所有者情報を取得するための具体的な構成としては、例えば、予め所有者を識別するための情報をコンテンツ提供装置やリモコンに登録しておき、電源投入やリモコン操作をトリガーとして当該識別情報を読み出すことで取得するようにすればよい。なお、ここでいう「所有者」とは必ずしも法律的な意味（その物の全面的支配権を有する者）ではなく、コンテンツ提供装置などに所有者として登録された者をいう。例えば子供Ａの部屋に設置されているテレビについて子供Ａを所有者として登録すれば、所有者は子供Ａとなる。所有者として複数の者が登録されていれば当該複数者が所有者となる。
【０１２４】
「所有者優先ルール保持手段」は、所定のルールとして、「所有者優先ルール」を保持するように構成されている。「所有者優先ルール」は、コンテンツ提供装置所有者を優先視聴者とするものである。例えばリビングルームに設置されたテレビに複数の者（夫、妻、子供）が所有者として登録されている場合のように所有者が二人以上いる場合には、妻、子供、夫の順に優先するといった優先順位を設けてもよい。
【０１２５】
「所有者優先決定手段」は、所有者情報取得手段にて取得した所有者情報と所定のルールである所有者優先ルールとに基づいて優先視聴者を決定するように構成されている。例えば、複数の視聴者Ａ〜Ｃがいる場合に、その中に所有者がいるかどうかを判断し、いればその者を優先視聴者として決定する。所有者が複数おり所有者優先ルールにおいて序列が定められている場合には、これに従って優先視聴者が決定される。一方、視聴者の中に所有者がいない場合には本ルールに基づく優先視聴者決定処理は行われない。
【０１２６】
（所有者を優先しつつ視聴履歴に応じて優先視聴者を決定する例）
本実施例のコンテンツ提供装置は、さらに視聴者の属性に応じた視聴履歴である属性別視聴履歴を保持する属性別視聴履歴保持部を有しており、所有者を優先しつつ視聴履歴に応じて優先視聴者を決定するように構成されていてもよい。この場合、例えば、複数の視聴者がそれぞれ所有するコンテンツ提供装置が家庭内ＬＡＮなどのネットワークで接続され、コンテンツ提供装置ごとに取得された視聴履歴が共有される。例えば、夫の書斎に夫を所有者として登録されたテレビ、子供の部屋に子供を所有者として登録されたテレビ、リビングルームに妻、子供、夫の三人を所有者として登録されたテレビがそれぞれ設置されている場合に、それぞれのテレビがネットワークで接続され、どのテレビを誰が視聴した場合であっても、その視聴履歴がすべてのテレビに共有される。視聴履歴の取得に当たっては、同じ者が同じ番組を同じ時間視聴した場合であっても、自己所有のテレビで視聴した場合には他人所有のテレビで視聴した場合よりも多く視聴したように重み付けを行うようにすることが考えられる。
【０１２７】
そして、所有者優先決定手段は、所有者優先ルールに代えて、所有者と視聴履歴を所定の重み付けで勘案したルール（所有者・視聴履歴優先ルール）に基づいて優先視聴者を決定する。例えば、リビングルームのテレビの所有者の重み付けを妻：子供：夫＝１：０．７：０．５とし、その他のテレビの所有者の重み付けを所有者：非所有者＝１：０とするとともに、視聴履歴の重み付けとして、自己所有のテレビでの視聴履歴を他人所有のテレビでの視聴履歴の２倍の重みづけとする。そこで、例えば夫、妻、子供がリビングルームで同じ番組を一緒に視聴する場合にこの所有者・視聴履歴優先ルールを用いて優先視聴者が決定される。この結果、例えば、全員が過去その時間帯にはリビングルームのテレビだけを視聴していた場合には、所有者の重み付けが反映されて妻が優先視聴者として決定されるが、例えば過去その時間帯に子供が自分のテレビで妻の２倍の時間視聴していたとすれば、子供が優先視聴者として決定されるといったことが行われることになる。
【０１２８】
<処理の流れ>
図４１は、本実施形態のコンテンツ提供装置の処理の流れの一例を示す図である。このうち、ステップＳ４１０１及びステップＳ４１０２における処理は実施形態６などにおいて説明したところと同様である。次に、ステップＳ４１０３において、コンテンツ提供装置は、取得した認識情報を用いて、所有者情報を含む視聴者の属性を取得する（視聴者属性取得ステップ：所有者情報取得処理を含む）。具体的には、コンテンツ提供装置は、取得した認識情報を用いて視聴者の属性として、視聴者の名前、性別、年齢層、顔画像などの情報及び所有者情報を取得する。次に、ステップＳ４１０４において、コンテンツ提供装置は、認識される視聴者が複数であるか否か判断する。ここで、認識される視聴者が単数である場合に、ステップＳ４１０５Ａに進む。ここで、認識される視聴者が複数であるとの判断である場合に、ステップＳ４１０５Ｂに進む。ステップＳ４１０５Ａでは、コンテンツ提供装置は、視聴者の属性を用いて視聴サービスを制御する。ステップＳ４１０５Ｂでは、コンテンツ提供装置は、視聴者属性取得ステップにて取得した所有者情報を含む視聴者の属性情報と、所有者優先ルールとを用いて優先視聴者を決定する（優先視聴者決定ステップ）。従って、複数の視聴者の中に所有者がいればその者が優先視聴者として決定される。ステップＳ４１０６Ｂでは、コンテンツ提供装置は、優先視聴者の属性情報を用いて視聴サービスを制御する（視聴サービス制御ステップ）。これらの処理によって、視聴者の中に所有者がいればその者が優先視聴者と決定され、当該視聴者の属性に応じた視聴サービスが提供されることになる。
【０１２９】
<効果>
本実施形態のコンテンツ提供装置によれば、コンテンツの視聴者の中にコンテンツ提供装置の所有者がいる場合に、その所有者を優先視聴者として選定できるようにすることができるので、そのような視聴者の属性に対応した視聴サービス制御処理を行うことが可能になる。
【０１３０】
<<実施形態１０>>
【０１３１】
<概要>
本実施形態のコンテンツ提供装置は、基本的に実施形態１と同様であるが、視聴者の検出時間の長さの程度を示す情報を取得し、検出時が最も長い視聴者を優先するように優先視聴者を決定することを特徴とする。
【０１３２】
<構成>
図４２は、本実施形態のコンテンツ提供装置の機能ブロックの一例を示す図である。この図にあるように、「コンテンツ提供装置」４２００は、「カメラ部」４２０１と、「認識情報取得部」４２０２と、「視聴者属性取得部」４２０３と、「優先視聴者決定部」４２０４と、「視聴サービス制御部」４２０５と、「視聴サービス部」４２０６とを有し、「視聴者属性取得部」は、「検出時間情報取得手段」４２０７を有し、「優先視聴者決定部」は、「検出時間優先ルール保持手段」４２０８と、「検出時間依存優先決定手段」４２０９と、を有する。本実施形態の目的は、カメラが検出した時間が最も長い者、即ち、コンテンツ提供装置の前に最も長くいる視聴者がそのコンテンツに対して最も高い関心を有している者であり、従って、最も優先されるべき視聴者であると考える場合に対応するためのものである。例えば、そのテレビ番組をはじめからずっと見ている視聴者は途中から来て見始めた視聴者や途中で出たり入ったりしている視聴者よりもその番組を熱心に見ていると考えることができる。以下、実施形態１との相違点である「検出時間情報取得手段」と「検出時間優先ルール保持手段」と「検出時間依存優先決定手段」について説明する。
【０１３３】
「検出時間情報取得手段」は、視聴者の属性情報として、「検出時間情報」を取得するように構成されている。「検出時間情報」とは、視聴者の検出時間の長さの程度を示す情報をいう。検出時間情報を取得するための具体的な構成としては、例えば、予め視聴者の顔や身体の画像情報を登録しておくとともに、カメラ部でコンテンツ提供装置の周辺の所定の範囲に存在する視聴者を撮像し、画像認識技術を用いて解析、照合してどの視聴者が存在するかを認識し、認識した視聴者の検出時間を計測するという方法が考えられる。その際、コンテンツに対する視聴者の熱心度という点からみれば、コンテンツ提供装置の画面に顔を正対させている視聴者の方がそうでない視聴者よりも優先されるべきと考えることができる。そこで、例えばコンテンツ提供装置の画面付近に設置されたカメラ部で撮像する場合であれば、顔の正面画像が検出された時間と顔の正面画像以外が検出された時間とを区別して検出時間を取得するようにしてもよい。同様の考え方に基づいて、例えば、検出時間が同じであっても、コンテンツの初めから出たり入ったりしながら視聴している者と途中で来たがその後はずっと居続けて視聴している者（後者の方が熱心に視聴しているが蓋然性が高い）などを区別するため、単に合計された検出時間を取得するのではなく、検出と非検出の切替りの回数などを合わせて取得するようにしてもよい。
【０１３４】
「検出時間優先ルール保持手段」は、所定のルールとして、「検出時間優先ルール」を保持するように構成されている。「検出時間優先ルール」は、検出時間情報にて視聴者の検出時間の最も長い視聴者を優先すると定めた情報である。この場合、単純に検出時間の長短だけで優先者を定めてもよいが、上述のように熱心さを反映できるような形で検出時間を取得した場合には、これに応じたルールを定めることで、熱心な視聴者を優先することが可能となる。例えば、顔の正面画像が検出された場合のみ検出時間にカウントするというルールや、顔の正面以外の画像が検出された時間は実際の時間の１／２倍の時間とカウントするというルールを定めてもよい。このようにすれば、このように本実施形態にいう「検出時間」は、実際の時間に限らず、一定のルールに基づいて修正された時間であってもよい。同様に、検出から非検出に１回切り替わるごとに一定時間（例えば１分）を減じるというルールなどを定めてもよい。
【０１３５】
「検出時間依存優先決定手段」は、検出時間情報取得手段にて取得した検出時間情報と所定のルールである検出時間優先ル−ルとに基づいて優先視聴者を決定するように構成されている。例えば、検出された複数の視聴者の中で、視聴者Ａの検出時間が最長であれば、検出時間優先ルールに基づいて視聴者Ａを優先視聴者として決定する。
【０１３６】
<処理の流れ>
図４３は、本実施形態のコンテンツ提供装置の処理の流れの一例を示す図である。このうち、ステップＳ４３０１及びステップＳ４３０２における処理は実施形態６などにおいて説明したところと同様である。次に、ステップＳ４３０３において、コンテンツ提供装置は、取得した認識情報を用いて、検出時間情報を含む視聴者の属性を取得する（視聴者属性取得ステップ：検出時間情報取得処理を含む）。具体的には、コンテンツ提供装置は、取得した認識情報を用いて視聴者の属性として、視聴者の名前、性別、年齢層、顔画像などの情報及び検出時間情報を取得する。次に、ステップＳ４３０４において、コンテンツ提供装置は、認識される視聴者が複数であるか否か判断する。ここで、認識される視聴者が単数である場合に、ステップＳ４３０５Ａに進む。ここで、認識される視聴者が複数であるとの判断である場合に、ステップＳ４３０５Ｂに進む。ステップＳ４３０５Ａでは、コンテンツ提供装置は、視聴者の属性を用いて視聴サービスを制御する。ステップＳ４３０５Ｂでは、コンテンツ提供装置は、視聴者属性取得ステップにて取得した検出時間情報を含む視聴者の属性情報と、検出時間優先ルールとを用いて優先視聴者を決定する（優先視聴者決定ステップ）。ステップＳ４３０６Ｂでは、コンテンツ提供装置は、優先視聴者の属性情報を用いて視聴サービスを制御する（視聴サービス制御ステップ）。これらの処理によって、検出時間の最も長い視聴者が優先視聴者と決定され、当該視聴者の属性に応じた視聴サービスが提供されることになる。
【０１３７】
<視聴者属性取得処理（検出時間情報取得処理）の具体例>
図４４は、本実施形態のコンテンツ提供装置における視聴者属性取得処理（検出時間情報取得処理）の流れの一例を示す図である。まず、ステップＳ４４０１において、コンテンツ提供装置は、例えば、自身の画面付近に備えられたカメラ部で視聴者の画像の撮像を開始する。次に、ステップＳ４４０２において、コンテンツ提供装置は、撮像した画像に基づいて視聴者を認識するための情報である認識情報を取得する。次に、ステップＳ４４０３において、撮像している画像中に上記ステップで取得された認識情報で認識される視聴者の画像が引き続き検出されているか判断する。検出されていると判断された場合は、コンテンツ提供装置は、ステップＳ４４０４において所定の撮像時間（例えば番組開始から５分間）が経過したか判断し、経過していないと判断された場合はステップＳ４４０３に戻って再び撮像中の画像に認識情報で認識される視聴者の画像が検出されているか判断する。これらのステップは、撮像中の画像に認識情報で認識される視聴者の画像が検出されていないと判断されるまで、あるいは所定の撮像時間が経過したと判断されるまで繰り返される。撮像中の画像に認識情報で認識される視聴者の画像が検出されていないと判断された場合、あるいは所定の撮像時間が経過したと判断された場合には、コンテンツ提供装置は撮像を終了し、ステップＳ４４０５に進んで当該視聴者が検出されていた時間を示す検出時間情報を取得する。なお、一旦検出されなくなった視聴者の画像が所定の撮像時間内に再び検出された場合には、改めて当該視聴者の検出が開始されるが、検出時間情報の取得に際しては、認識情報に基づいて同じ視聴者の検出時間として合計した時間を取得することが可能である。コンテンツ提供装置は、検出された全ての視聴者についてこの処理を行う。
【０１３８】
<優先視聴者決定処理（検出時間依存優先決定処理）の具体例>
次に、コンテンツ提供装置は、上記処理によって取得した各視聴者の検出時間情報に基づいて、検出時間が最長である視聴者を優先する優先視聴者決定処理（検出時間依存優先決定処理）を行う。この処理は、所定のタイミングで一回だけ（例えばコンテンツ表示開始から５分間）行い、その結果を以後コンテンツ表示終了までのすべての視聴サービス制御処理に反映するようにしてもよい。あるいは、所定のタイミングで複数回（例えばコンテンツ表示開始〜５分後、５〜１０分後、１０〜１５分後など）繰り返して行い、その都度視聴サービス制御処理の内容を更新する形で反映するようにしてもよい。また、この優先決定処理を構成メンバーに変化が生じるたびや番組が切り替わるたびに行うようにしてもよい。
【０１３９】
<視聴サービス制御処理の具体例>
本実施例における視聴サービス制御処理の流れは、実施形態１などで説明したところと基本的に同様であるが、本実施形態においては、検出時間が最長であるとして優先視聴者に決定された視聴者の属性に合わせて視聴サービスの内容を決定する。その具体例は実施形態１などで述べたところと同様である。また、制御すべき視聴サービスの全てについて、優先視聴者の属性に応じてその制御が行われたか否か判断し、全て行われたとの判断である場合は、視聴サービス制御処理を終了する。制御が行われていない視聴サービスが残っているとの判断である場合は、視聴サービスの内容を決定するステップに戻る。
【０１４０】
<効果>
本実施形態のコンテンツ提供装置によれば、コンテンツ提供装置の前に最も長くいる視聴者を優先視聴者とすることができるので、そのコンテンツを熱心に視聴している蓋然性が最も高い視聴者の属性に対応した視聴サービス制御処理を行うことが可能になる。
【０１４１】
<<実施形態１１>>
【０１４２】
<概要>
本実施形態のコンテンツ提供装置は、基本的に実施形態３と同様であるが、視聴者の属性に応じた視聴履歴とコンテンツのタイトル情報を取得するとともに、当該視聴履歴及びタイトル情報に応じて視聴者として優先する度合を示す指数を定めたルールに従って優先視聴者を決定することを特徴とする。
【０１４３】
<構成>
図４５は、本実施形態のコンテンツ提供装置の機能ブロックの一例を示す図である。この図にあるように、「コンテンツ提供装置」４５００は、「カメラ部」４５０１と、「認識情報取得部」４５０２と、「視聴者属性取得部」４５０３と、「コンテンツ属性取得部」４５０４と、「優先視聴者決定部」４５０５と、「視聴サービス制御部」４５０６と、「視聴サービス部」４５０７と、を有し、「視聴者属性取得部」は、「属性別視聴履歴取得手段」４５０８を有し、「コンテンツ属性取得部」は「タイトル情報取得手段」４５０９を有し、「優先視聴者決定部」は、「視聴履歴依存コンテンツ別優先ルール保持手段」４５１０と、「視聴履歴依存コンテンツ別優先決定手段」４５１１と、を有する。本実施形態の目的は、例えば帯番組として放映されている番組を毎回欠かさず視聴している視聴者は、同番組をたまにしか見ない視聴者よりも当該コンテンツの熱心な視聴者であると考えられるといったように、視聴者の属性に応じた視聴履歴とコンテンツのタイトルからその視聴者の熱心度を判断することが可能であることに鑑み、そのような視聴者を優先視聴者として選定できるようにすることにある。以下、実施形態３との相違点である「属性別視聴履歴取得手段」と「タイトル情報取得手段」と「視聴履歴依存コンテンツ別優先ルール保持手段」と「視聴履歴依存コンテンツ別優先決定手段」について説明する。
【０１４４】
「属性別視聴履歴取得手段」は視聴者の属性に応じた視聴履歴である属性別視聴履歴を取得するように構成されている。具体的には、例えば、毎日定時に放映されるタイトル「○○」という帯番組を、ある視聴者が前日と前々日に視聴していた場合、当該視聴者の属性と帯番組のタイトル及び視聴履歴（視聴日時）が、当該視聴者の属性別視聴履歴として取得される。
「タイトル情報取得手段」は、視聴コンテンツの属性情報としてコンテンツのタイトル情報を取得するように構成されている。
「視聴履歴依存コンテンツ別優先ルール保持手段」は、所定のルールとして、「視聴履歴依存コンテンツ別優先ルール」を保持するように構成されている。「視聴履歴依存コンテンツ別優先ルール」は、前記視聴者の属性に応じた視聴履歴とコンテンツのタイトル情報とに応じて視聴者として優先する度合を示す指数を定めた情報である。例えば、同じタイトル情報「○○」を有するコンテンツの視聴履歴であっても、複数回の視聴履歴に対しては一回の視聴履歴に対するよりも高い優先指数を与えるといったルールが該当する。
「視聴履歴依存コンテンツ別優先決定手段」は、属性別視聴履歴取得手段にて取得した視聴者の属性に応じた視聴履歴とコンテンツ属性取得部にて取得したコンテンツのタイトル情報と所定のルールである視聴履歴依存コンテンツ別優先ルールとに基づいて優先視聴者を決定するように構成されている。
【０１４５】
<処理の流れ>
図４６は、本実施形態のコンテンツ提供装置の処理の流れの一例を示す図である。このうち、ステップＳ４６０１及びステップＳ４６０２における処理は実施形態６などにおいて説明したところと同様である。次に、ステップＳ４６０３において、コンテンツ提供装置は、取得した認識情報を用いて、コンテンツのタイトルごとの視聴履歴を含む視聴者の属性を取得する（視聴者属性取得ステップ：視聴履歴取得処理を含む）。具体的には、コンテンツ提供装置は、取得した認識情報を用いて視聴者の属性として、視聴者の名前、性別、年齢層、顔画像などの情報及びコンテンツのタイトルごとの視聴履歴を取得する。次に、ステップＳ４６０４において、コンテンツ提供装置は、認識される視聴者が複数であるか否か判断する。ここで、認識される視聴者が単数である場合に、ステップＳ４６０５Ａに進む。ここで、認識される視聴者が複数であるとの判断である場合に、ステップＳ４６０５Ｂに進む。ステップＳ４６０５Ａでは、コンテンツ提供装置は、視聴者の属性を用いて視聴サービスを制御する。ステップＳ４６０５Ｂでは、コンテンツ提供装置は、視聴コンテンツの属性情報としてコンテンツのタイトル情報を取得する。ステップＳ４６０６Ｂでは、コンテンツ提供装置は、視聴者属性取得ステップにて取得したタイトルごとの視聴履歴を含む視聴者の属性情報と、コンテンツ属性取得ステップにて取得した視聴コンテンツの属性情報であるタイトル情報と、視聴履歴依存コンテンツ別優先ルールとを用いて優先視聴者を決定する（優先視聴者決定ステップ：視聴履歴依存コンテンツ別優先決定処理）。ステップＳ４６０７Ｂでは、コンテンツ提供装置は、優先視聴者の属性情報を用いて視聴サービスを制御する（視聴サービス制御ステップ）。これらの処理によって、当該タイトルのコンテンツについて、例えば過去において当該番組を最もよく視聴している視聴者が優先視聴者と決定され、当該視聴者の属性に応じた視聴サービスが提供されることになる。
【０１４６】
<効果>
本実施形態のコンテンツ提供装置によれば、視聴者の属性に応じた視聴履歴とコンテンツのタイトルからその視聴者の熱心度を判断することで、そのコンテンツを熱心に視聴している蓋然性が最も高い視聴者の属性に対応した視聴サービス制御処理を行うことが可能になる。
【０１４７】
<<実施形態１２>>
【０１４８】
<概要>
本実施形態のコンテンツ提供装置は、基本的に実施形態１と同様であるが、視聴者の年齢層や性別を示す情報を取得するとともに、複数の視聴者の中で所定の割合を占める年齢層や性別に応じて視聴者として優先する度合を示す指数を定めたルールに従って優先視聴者を決定することを特徴とする。
【０１４９】
<構成>
図４７は、本実施形態のコンテンツ提供装置の機能ブロックの一例を示す図である。この図にあるように、「コンテンツ提供装置」４７００は、「カメラ部」４７０１と、「認識情報取得部」４７０２と、「視聴者属性取得部」４７０３と、「優先視聴者決定部」４７０４と、「視聴サービス制御部」４７０５と、「視聴サービス部」４７０６と、を有し、「視聴者属性取得部」は、「年齢層・性別情報取得手段」４７０７を有し、「優先視聴者決定部」は、「年齢層・性別割合優先ルール保持手段」４７０８と、「年齢層・性別割合優先決定手段」４７０９と、を有する。本実施形態の目的は、主に複数の視聴者のうち年齢層や性別で多数を占める者を優先視聴者として選定できるようにすることにある。以下、実施形態３との相違点である「年齢層・性別情報取得手段」と「年齢層・性別割合優先ルール保持手段」と「年齢層・性別割合優先決定手段」について説明する。
【０１５０】
「年齢層・性別情報取得手段」は、視聴者の属性情報として、「年齢層・性別情報」を取得するように構成されている。「年齢層・性別情報」とは、視聴者の年齢層及び／又は性別を示す情報をいう。年齢層は、老人・成人・子供といった大まかに分けたものであっても、５歳ごとといったようにきめ細かく分けたものであってもよい。
「年齢層・性別割合優先ルール保持手段」は、所定のルールとして、「年齢層・性別割合優先ルール」を保持するように構成されている。「年齢層・性別割合優先ルール」は、複数の視聴者の年齢層・性別情報のうち所定の割合を占める年齢層・性別情報に応じて視聴者として優先する度合を示す指数を定めた情報である。「所定の割合」としては、典型的には最も多数を占める年齢層・性別の者を優先するというルールが考えられるが、他に、例えば子供が３割以上を占めていれば子供優先するといったルールであってもよい。また、所定の割合を占める者についてすべての視聴サービスを優先して行うようにしてもよいが、割合に応じて優先して行う視聴サービスを振り分けるようにしてもよい。
「年齢層・性別割合優先決定手段」は、年齢層・性別情報取得手段にて取得した年齢層・性別情報と所定のルールである年齢層・性別割合優先ル−ルとに基づいて優先視聴者を決定するように構成されている。
【０１５１】
<処理の流れ>
図４８は、本実施形態のコンテンツ提供装置の処理の流れの一例を示す図である。このうち、ステップＳ４８０１及びステップＳ４８０２における処理は実施形態６などにおいて説明したところと同様である。次に、ステップＳ４８０３において、コンテンツ提供装置は、取得した認識情報を用いて、視聴者の属性情報として、視聴者の名前、顔画像などの情報とともに、年齢層・性別情報を取得する。次に、ステップＳ４８０４において、コンテンツ提供装置は、認識される視聴者が複数であるか否か判断する。ここで、認識される視聴者が単数である場合に、ステップＳ４８０５Ａに進む。ここで、認識される視聴者が複数であるとの判断である場合に、ステップＳ４８０５Ｂに進む。ステップＳ４８０５Ａでは、コンテンツ提供装置は、視聴者の属性を用いて視聴サービスを制御する。ステップＳ４８０５Ｂでは、コンテンツ提供装置は、視聴者属性取得ステップにて取得した年齢層・性別情報を含む視聴者の属性情報と、年齢層・性別割合優先ルールとを用いて優先視聴者を決定する（優先視聴者決定ステップ）。ステップＳ４８０６Ｂでは、コンテンツ提供装置は、優先視聴者の属性情報を用いて視聴サービスを制御する（視聴サービス制御ステップ）。これらの処理によって、例えば視聴者の中に占める割合の最も高い年齢層の視聴者が優先視聴者と決定され、当該視聴者の属性に応じた視聴サービスが提供されることになる。
【０１５２】
（各実施形態の組合せ）
以上の各実施形態において、様々な優先ルールを用いて優先視聴者を決定するための構成について説明した。これらのうちどれか一つのルールを選択して優先視聴者を決定してもよいが、これらのルールを組み合わせて優先視聴者を決定するようにしてもよい。この場合には、例えばそれぞれのルールに基づく優先度に点数を付与し、これらの合計点数が最大の視聴者を優先視聴者として決定すればよい。その際に、優先ルールに重み付けを行ってもよい。
【０１５３】
図４９は、本実施形態のコンテンツ提供装置における優先視聴者決定処理の流れの一例を示す図であって、複数の優先ルールを組み合わせて優先視聴者を決定する処理の流れの一例を示すものである。本図では、複数の優先ルールが、優先ルール（１）及び優先ルール（２）である場合で説明する。優先ルール（１）は後述の視聴者属性（１）に対応するもので、例えば視線優先ルールであり、優先ルール（２）は後述の視聴者属性（２）に対応するもので、例えば移動優先ルールである。ただし、組み合わせる優先ルールの数に限定はなく、もっと多くの優先ルールを組み合わせるものであってもよい。
【０１５４】
ステップＳ４９０１及びステップＳ４９０２における処理は実施形態６などにおいて説明したところと同様である。次に、ステップＳ４９０３において、コンテンツ提供装置は、取得した認識情報を用いて、視聴者の属性情報として、視聴者の名前、顔画像などの情報とともに、視聴者属性（１）（例えば視線情報）及び視聴者属性（２）（例えば移動情報）を取得する。次に、ステップＳ４９０４において、コンテンツ提供装置は、認識される視聴者が複数であるか否か判断する。ここで、認識される視聴者が単数である場合に、ステップＳ４９０５Ａに進む。ここで、認識される視聴者が複数であるとの判断である場合に、ステップＳ４９０５Ｂに進む。ステップＳ４９０５Ａでは、コンテンツ提供装置は、視聴者の属性を用いて視聴サービスを制御する。ステップＳ４９０５Ｂでは、コンテンツ提供装置は、視聴者属性（１）と所定のルールである優先ルール（１）を用いて優先指数を取得する。次に、ステップＳ４９０６Ｂにおいて、コンテンツ提供装置は、視聴者属性（２）と所定のルールである優先ルール（２）を用いて優先指数を取得する。これをすべての視聴者について行う（ステップＳ４９０７Ｂ）。
【０１５５】
すべての視聴者について、組み合わせて判断すべきすべての優先指数が取得されると、ステップＳ４９０８において、コンテンツ提供装置は、所定のルールを用いて優先視聴者を決定する（優先視聴者決定ステップ）。ここでいう所定のルールとは、例えばそれぞれの優先指数を足し合わせた数値が最大となる視聴者を優先視聴者とするというルールである。あるいは優先指数に重み付けなどを行った上で足し合わせてもよい。さらに、ステップＳ４９０９Ｂでは、コンテンツ提供装置は、優先視聴者の属性情報を用いて視聴サービスを制御する（視聴サービス制御ステップ）。これらの処理によって、複数の基準を組み合せて判断することで、総合的に判断して最も優先されるべき視聴者が優先視聴者として決定され、当該視聴者の属性に応じた視聴サービスが提供されることになる。
【０１５６】
<効果>
本実施形態のコンテンツ提供装置によれば、複数の視聴者のうち年齢層や性別で多数を占める者を優先視聴者とすることができるので、そのような視聴者の属性に対応した視聴サービス制御処理を行うことが可能になる。
【０１５７】
<<実施形態１３>>
【０１５８】
<概要>
本実施形態のコンテンツ提供装置は、基本的に実施形態１と同様であるが、優先視聴者決定部が決定した優先視聴者を示す情報を所定の期間保持し、この情報が示す視聴者を優先視聴者と決定することを特徴とする。
【０１５９】
<構成>
図５０は、本実施形態のコンテンツ提供装置の機能ブロックの一例を示す図である。この図にあるように、「コンテンツ提供装置」５０００は、「カメラ部」５００１と、「認識情報取得部」５００２と、「視聴者属性取得部」５００３と、「優先視聴者決定部」５００４と、「視聴サービス制御部」５００５と、「視聴サービス部」５００６と、「優先視聴者情報保持部」５００７と、を有し、「優先視聴者決定部」は、「優先視聴者情報依存優先視聴者決定手段」５００８を有する。本実施形態の目的は、いったん優先視聴者として決定された者は、その後席を外したとしてもすぐに戻ってくる可能性があることから、そのような場合に備えて一定期間内はその視聴者を優先視聴者とする判断を変えないようにすることある。以下、実施形態３との相違点である「優先視聴者情報保持部」と「優先視聴者情報依存優先視聴者決定手段」について説明する。
「優先視聴者情報保持部」は、優先視聴者決定部が決定した優先視聴者を示す情報である優先視聴者情報を所定の期間保持するように構成されている。また、「優先視聴者情報依存優先視聴者決定手段」は、優先視聴者情報保持部が保持する優先視聴者情報が示す視聴者を優先視聴者と決定するように構成されている。
【０１６０】
<処理の流れ>
本実施例における優先視聴者決定のための処理の流れは、基本的に上記各実施形態において述べた処理の流れ（例えば実施形態１において図４を用いて説明したステップＳ０４０１からＳ０４０５Ｂまでの処理の流れ）と共通する。一方、本実施形態においては、コンテンツ提供装置は、このようにして決定された優先視聴者情報を記憶装置に格納する。また、記憶装置には予め優先視聴者情報をどれだけの期間保持するかを定めたルールが保持される。そこで、コンテンツ提供装置は、このルールに従って優先視聴者情報を保持し、当該期間が経過するとこれを破棄する。さらに、改めて上記と同様の処理の流れ（例えばＳ０４０１〜Ｓ０４０４）を経て優先視聴者を決定する段階になったとき、コンテンツ提供装置は、直ちにステップＳ０４０５Ｂと同様の優先視聴者決定を行うのではなく、まず、優先視聴者情報が保持されているかどうか判断する。そこで、保持されているとの判断結果が得られた場合には、コンテンツ提供装置は、当該優先視聴者情報を読み出して当該情報で特定される優先視聴者の属性を用いて視聴サービスを制御する。一方、保持されていないとの判断結果が得られた場合には、コンテンツ提供装置は、ステップＳ０４０５Ｂと同様の処理によって優先視聴者を決定し、当該優先視聴者の属性を用いて視聴サービスを制御する。
【０１６１】
<効果>
本実施形態のコンテンツ提供装置によれば、いったん優先視聴者として決定された者がその後席を外したとしてもすぐに戻ってくる可能性があることなどに備えて、一定期間内はその視聴者を優先視聴者とする判断を変えないようにすることで、そのような視聴者を優先視聴者としてその属性に対応した視聴サービス制御処理を行うことが可能になる。
【符号の説明】
【０１６２】
０２００…コンテンツ提供装置、０２０１…カメラ部、０２０２…認識情報取得部、０２０３…視聴者属性取得部、０２０４…優先視聴者決定部、０２０５…視聴サービス制御部、０２０６…視聴サービス部、０９０７…時間帯別ルール保持手段、０９０８…時間帯別優先決定手段、１５０７…コンテンツ属性取得部、１５０８…コンテンツ別ルール保持手段、１５０９…コンテンツ別優先決定手段、２３０７…操作者情報取得手段、２３０８…操作者優先ルール保持手段、２３０９…操作者優先決定手段、２７０７…視聴ウインドウ情報取得手段、２７０８…ウインドウ別決定手段、２７０９…マルチ表示手段、１…ＣＰＵ、２…ＲＡＭ、３…不揮発性メモリ、４…カメラ部、５…カメラ信号処理部、６…チューナ／復調／分離部、７…映像信号処理部、８…ＥＰＧ／ＯＳＤ／ＢＭＬ処理部、９…音声信号処理部、１０…映像出力変換部、１１…音声出力変換部、１２…通信部、１３…リモコン受光部、１４…アンテナ、１５…システムバス
【図１】
2015039094.tif 000003
【図２】
2015039094.tif 000004
【図３】
2015039094.tif 000005
【図４】
2015039094.tif 000006
【図５】
2015039094.tif 000007
【図６】
2015039094.tif 000008
【図７】
2015039094.tif 000009
【図８】
2015039094.tif 000010
【図９】
2015039094.tif 000011
【図１０】
2015039094.tif 000012
【図１１】
2015039094.tif 000013
【図１２】
2015039094.tif 000014
【図１３】
2015039094.tif 000015
【図１４】
2015039094.tif 000016
【図１５】
2015039094.tif 000017
【図１６】
2015039094.tif 000018
【図１７】
2015039094.tif 000019
【図１８】
2015039094.tif 000020
【図１９】
2015039094.tif 000021
【図２０】
2015039094.tif 000022
【図２１】
2015039094.tif 000023
【図２２】
2015039094.tif 000024
【図２３】
2015039094.tif 000025
【図２４】
2015039094.tif 000026
【図２５】
2015039094.tif 000027
【図２６】
2015039094.tif 000028
【図２７】
2015039094.tif 000029
【図２８】
2015039094.tif 000030
【図２９】
2015039094.tif 000031
【図３０】
2015039094.tif 000032
【図３１】
2015039094.tif 000033
【図３２】
2015039094.tif 000034
【図３３】
2015039094.tif 000035
【図３４】
2015039094.tif 000036
【図３５】
2015039094.tif 000037
【図３６】
2015039094.tif 000038
【図３７】
2015039094.tif 000039
【図３８】
2015039094.tif 000040
【図３９】
2015039094.tif 000041
【図４０】
2015039094.tif 000042
【図４１】
2015039094.tif 000043
【図４２】
2015039094.tif 000044
【図４３】
2015039094.tif 000045
【図４４】
2015039094.tif 000046
【図４５】
2015039094.tif 000047
【図４６】
2015039094.tif 000048
【図４７】
2015039094.tif 000049
【図４８】
2015039094.tif 000050
【図４９】
2015039094.tif 000051
【図５０】
2015039094.tif 000052